(57)【特許請求の範囲】
【請求項１】
ワイヤレス通信のための方法であって、
第１の種類のトラフィックをゲートウェイアクセスポイントから局へと直接送信することと、ここで、前記局へと送信されるビーコン信号が前記第１の種類のトラフィックの一部として送信される、
第２の種類のトラフィックを前記ゲートウェイアクセスポイントから前記局へと少なくとも１つのリレーアクセスポイントを介して送信することと、
低スループットトラフィックを前記ゲートウェイアクセスポイントにおいて長距離用の無線リンクを通じて前記局から直接受信することと、
を備える方法。
【請求項２】
前記第１の種類のトラフィックを送信することは、低スループットトラフィックを送信することを備え、
前記第２の種類のトラフィックを送信することは、高スループットトラフィックを送信することを備える、請求項１に記載の方法。
【請求項３】
前記第１の種類のトラフィックを送信することは、長距離用の無線リンクを通じて前記第１の種類のトラフィックを送信することを備える、請求項１に記載の方法。
【請求項４】
前記第２の種類のトラフィックを送信することは、少なくとも１つの短距離用の無線リンクを通じて前記第２の種類のトラフィックを送信することを備える、請求項１に記載の方法。
【請求項５】
高スループットトラフィックを前記ゲートウェイアクセスポイントにおいて前記少なくとも１つのリレーアクセスポイントを介して少なくとも１つの短距離用の無線リンクを通じて前記局から受信すること、
をさらに備える、請求項１に記載の方法。
【請求項６】
ワイヤレス通信のための方法であって、
第１の種類のトラフィックを局においてゲートウェイアクセスポイントから直接受信することと、ここで、前記局によって受信されるビーコン信号が前記第１の種類のトラフィックの一部として受信される、
第２の種類のトラフィックを前記局において前記ゲートウェイアクセスポイントから少なくとも１つのリレーアクセスポイントを介して受信することと、
低スループットトラフィックを前記局から長距離用の無線リンクを通じて前記ゲートウェイアクセスポイントへと直接送信することと、
を備える方法。
【請求項７】
前記第１の種類のトラフィックを受信することは、低スループットトラフィックを受信することを備え、
前記第２の種類のトラフィックを受信することは、高スループットトラフィックを受信することを備える、請求項６に記載の方法。
【請求項８】
前記第１の種類のトラフィックを受信することは、長距離用の無線リンクを通じて前記第１の種類のトラフィックを受信することを備える、請求項６に記載の方法。
【請求項９】
前記第２の種類のトラフィックを受信することは、少なくとも１つの短距離用の無線リンクを通じて前記第２の種類のトラフィックを受信することを備える、請求項６に記載の方法。
【請求項１０】
前記少なくとも１つの短距離用の無線リンクは、５ＧＨｚ帯リンクを備える、請求項９に記載の方法。
【請求項１１】
高スループットトラフィックを前記局から前記少なくとも１つのリレーアクセスポイントを介して少なくとも１つの短距離用の無線リンクを通じて前記ゲートウェイアクセスポイントへと送信すること、
をさらに備える、請求項６に記載の方法。
【請求項１２】
ワイヤレス通信のためのシステムであって、
局と、
前記局に通信可能に結合されたゲートウェイアクセスポイントと、ここで、前記ゲートウェイアクセスポイントは、第１の種類のトラフィックを長距離用の無線リンクを通じて前記局へと直接送信するように構成され、前記局へと送信されるビーコン信号が、前記第１の種類のトラフィックの一部として送信され、前記ゲートウェイアクセスポイントは、低スループットトラフィックを長距離用の無線リンクを通じて前記局から直接受信するようにさらに構成される、
前記ゲートウェイアクセスポイントおよび前記局に通信可能に結合された少なくとも１つのリレーアクセスポイントと、ここで、前記ゲートウェイアクセスポイントは、第２の種類のトラフィックを前記少なくとも１つのリレーアクセスポイントを介して少なくとも１つの短距離用の無線リンクを通じて前記局へと送信するように構成されている、
を備えるシステム。
【請求項１３】
ワイヤレス通信のための装置であって、
第１の種類のトラフィックをゲートウェイアクセスポイントから局へと直接送信するための手段と、ここで、前記局へと送信されるビーコン信号が前記第１の種類のトラフィックの一部として送信される、
第２の種類のトラフィックを前記ゲートウェイアクセスポイントから前記局へと少なくとも１つのリレーアクセスポイントを介して送信するための手段と、
低スループットトラフィックを前記ゲートウェイアクセスポイントにおいて長距離用の無線リンクを通じて前記局から直接受信するための手段と、
を備える装置。
【請求項１４】
ワイヤレス通信のための装置であって、
第１の種類のトラフィックを局においてゲートウェイアクセスポイントから直接受信するための手段と、ここで、前記局によって受信されるビーコン信号が前記第１の種類のトラフィックの一部として受信される、
第２の種類のトラフィックを前記局において前記ゲートウェイアクセスポイントから少なくとも１つのリレーアクセスポイントを介して受信するための手段と、
低スループットトラフィックを前記局から長距離用の無線リンクを通じて前記ゲートウェイアクセスポイントへと直接送信するための手段と、
を備える装置。
【請求項１５】
請求項１から請求項５または請求項６から請求項１１のいずれか一項に記載の方法を実行するための命令を備える、コンピュータプログラム。
【発明の詳細な説明】
【技術分野】
【０００１】
相互参照
[0001]  本特許出願は、本願の譲受人へと譲渡された、２０１３年７月１７日に出願された、「ワイヤレス中継ネットワークのマルチバンド管理（MULTI-BAND MANAGEMENT OF WIRELESS RELAYING NETWORKS）」という名称のＤｕらによる米国特許仮出願第１３／９４３，８７２号の優先権を主張する。
【背景技術】
【０００２】
[0002]  ワイヤレス通信ネットワークが、音声、映像、パケットデータ、メッセージング、放送、などの種々の通信サービスを提供するために、広く展開されている。これらのワイヤレスネットワークは、利用可能なネットワークリソースを共有することによってマルチプルなユーザをサポートすることができる多重アクセスネットワークであり得る。
【０００３】
[0003]  ワイヤレス通信ネットワークは、いくつかのワイヤレスデバイスのための通信をサポートすることができるアクセスポイント（ＡＰ）などのいくつかのネットワークデバイスを含み得る。ワイヤレスデバイスは、ネットワークデバイスと双方向に通信し得る。例えば、ワイヤレスローカルエリアネットワーク（ＷＬＡＮ）において、ワイヤレスデバイス（例えば、局またはＳＴＡ）は、ダウンリンクおよびアップリンクを介してＡＰと通信し得る。ダウンリンク（または、順方向リンク）は、ＡＰからＳＴＡへの通信リンクを指し、アップリンク（または、逆方向リンク）は、ＳＴＡからＡＰへの通信リンクを指す。
【０００４】
[0004]  ＷＬＡＮまたはＷｉ−Ｆｉネットワークにおいて、端末間のスループットの向上をもたらす新たなデバイス（例えば、ＩＥＥＥ  ８０２．１１−ａｃ準拠のデバイス）が展開されている。例えば送信出力の規制および／または無線の伝播の特性ゆえに、これらの新たなデバイスは、一部の状況において充分なカバレッジ（すなわち、範囲）を提供することができないことがある。この問題に対処するための１つの手法は、ワイヤレスリレー（例えば、リレーＡＰ）を使用し、レガシーまたはゲートウェイＡＰの役割をワイヤレスリレーへと拡張することによってカバレッジを増大させることである。しかしながら、ゲートウェイＡＰの役割の拡張は、場合によっては出力および／または処理の限界を有し得るワイヤレスリレーに大きな負担をかける。したがって、これらの新たなデバイスによってもたらされるカバレッジの拡張を、カバレッジの拡張に使用されるワイヤレスリレーに過度の負担をかけることなくもたらすための新規な機構が、必要とされ得る。
【発明の概要】
【０００５】
[0005]  説明される特徴は、広くには、ワイヤレス通信のための１つまたは複数の改善された方法、デバイス、システム、および／または装置に関する。
【０００６】
[0006]  ワイヤレス中継ネットワークのマルチバンド管理を使用するワイヤレス通信のための一方法において、第１の種類のトラフィックが、ゲートウェイＡＰから局へと直接送信され得る。局へと送信されるビーコン信号が、第１の種類のトラフィックの一部として送信される。第２の種類のトラフィックが、ゲートウェイＡＰから少なくとも１つのリレーＡＰを介して局へと送信され得る。第１の種類のトラフィックは、低スループットトラフィック（例えば、低バーストのブロードキャスト、マルチキャスト、および／またはユニキャストトラフィック）を含み得、長距離用の無線リンク（例えば、２ＧＨｚ帯リンクまたはｓｕｂ−１ＧＨｚ帯リンク）によって送信され得る。第２の種類のトラフィックは、高スループットトラフィック（例えば、高バーストのブロードキャストおよび／またはユニキャストデータトラフィック、低レイテンシのブロードキャストおよび／またはユニキャストトラフィック）を含み得、少なくとも１つの短距離用の無線リンク（例えば、５ＧＨｚ帯リンク）によって送信され得る。ゲートウェイＡＰは、低スループットのトラフィックを局から長距離用の無線リンクによって直接、高スループットのトラフィックを局から少なくとも１つのリレーＡＰを介して少なくとも１つの短距離用の無線リンクによって、受信し得る。
【０００７】
[0007]  ワイヤレス通信のための方法が、第１の種類のトラフィックをゲートウェイアクセスポイントから局へと直接送信することを含み、局へと送信されるビーコン信号が、第１の種類のトラフィックの一部として送信される。本方法は、また、第２の種類のトラフィックをゲートウェイアクセスポイントから局へと少なくとも１つのリレーアクセスポイントを介して送信することを含む。本方法のいくつかの実施形態において、第１の種類のトラフィックを送信することは、低スループットトラフィックを送信することを含み、第２の種類のトラフィックを送信することは、高スループットトラフィックを送信することを含む。本方法のいくつかの実施形態において、第１の種類のトラフィックを送信することは、長距離用の無線リンクを通じて第１の種類のトラフィックを送信することを含む。長距離用の無線リンクは、２ＧＨｚ帯リンクまたはｓｕｂ−１ＧＨｚ帯リンクを含み得る。いくつかの実施形態において、第２の種類のトラフィックを送信することは、少なくとも１つの短距離用の無線リンクを通じて第２の種類のトラフィックを送信することを含む。少なくとも１つの短距離用の無線リンクは、５ＧＨｚ帯リンクを含み得る。
【０００８】
[0008]  本方法のいくつかの実施形態において、第１の種類のトラフィックを送信することは、低バーストのブロードキャストトラフィック、低バーストのマルチキャストトラフィック、および低バーストのユニキャストトラフィックのうちの１つまたは複数を送信することを含む。本方法のいくつかの実施形態において、第２の種類のトラフィックを送信することは、高バーストのユニキャストデータトラフィック、高バーストのブロードキャストデータトラフィック、低レイテンシのユニキャストトラフィック、および低レイテンシのブロードキャストトラフィックのうちの１つまたは複数を送信することを含む。本方法は、低スループットトラフィックを前記ゲートウェイアクセスポイントにおいて長距離用の無線リンクによって前記局から直接受信することと、高スループットトラフィックを前記ゲートウェイアクセスポイントにおいて前記少なくとも１つのリレーアクセスポイントを介して少なくとも１つの短距離用の無線リンクによって前記局から受信することと、をさらに含み得る。
【０００９】
[0009]  ワイヤレス通信のための方法が、第１の種類のトラフィックを局においてゲートウェイアクセスポイントから直接受信することを含み、ここで、局によって受信されるビーコン信号が、第１の種類のトラフィックの一部として受信される。本方法は、第２の種類のトラフィックを局においてゲートウェイアクセスポイントから少なくとも１つのリレーアクセスポイントを介して受信することをさらに含む。本方法のいくつかの実施形態において、第１の種類のトラフィックの受信は、低スループットトラフィックの受信を含み、第２の種類のトラフィックの受信は、高スループットトラフィックの受信を含む。本方法のいくつかの実施形態において、第１の種類のトラフィックの受信は、長距離用の無線リンクによる第１の種類のトラフィックの受信を含む。長距離用の無線リンクは、２ＧＨｚ帯リンクまたはｓｕｂ−１ＧＨｚ帯リンクを含み得る。本方法のいくつかの実施形態において、第２の種類のトラフィックの受信は、少なくとも１つの短距離用の無線リンクによる第２の種類のトラフィックの受信を含む。少なくとも１つの短距離用の無線リンクは、５ＧＨｚ帯リンクを含み得る。
【００１０】
[0010]  本方法のいくつかの実施形態において、第１の種類のトラフィックの受信は、低バーストのブロードキャストトラフィック、低バーストのマルチキャストトラフィック、および低バーストのユニキャストトラフィックのうちの１つまたは複数の受信を含む。本方法のいくつかの実施形態において、第２の種類のトラフィックの受信は、高バーストのユニキャストデータトラフィック、高バーストのブロードキャストデータトラフィック、低レイテンシのユニキャストトラフィック、および低レイテンシのブロードキャストトラフィックのうちの１つまたは複数の受信を含む。本方法は、低スループットトラフィックを前記局から長距離用の無線リンクによって前記ゲートウェイアクセスポイントへと直接送信することと、高スループットトラフィックを前記局から前記少なくとも１つのリレーアクセスポイントを介して少なくとも１つの短距離用の無線リンクによって前記ゲートウェイアクセスポイントへと送信することと、をさらに含み得る。
【００１１】
[0011]  ワイヤレス通信のためのデバイスが、第１の種類のトラフィックを局へと直接送信するように構成されたゲートウェイアクセスポイントを含み、ここで局へと送信されるビーコン信号が第１の種類のトラフィックの一部として送信され、さらにゲートウェイアクセスポイントは、第２の種類のトラフィックを局へと少なくとも１つのリレーアクセスポイントを介して送信するように構成される。本デバイスのいくつかの実施形態において、ゲートウェイアクセスポイントは、第１の種類のトラフィックを２ＧＨｚ帯リンクまたはｓｕｂ−１ＧＨｚ帯リンクによって局へと直接送信するように構成される。本デバイスのいくつかの実施形態において、ゲートウェイアクセスポイントは、第２の種類のトラフィックを少なくとも１つの５ＧＨｚ帯リンクによって少なくとも１つのリレーアクセスポイントへと送信するように構成される。本デバイスのいくつかの実施形態において、第１の種類のトラフィックは、低バーストのブロードキャストトラフィック、低バーストのマルチキャストトラフィック、および低バーストのユニキャストトラフィックのうちの１つまたは複数を含み、第２の種類のトラフィックは、高バーストのユニキャストデータトラフィック、高バーストのブロードキャストデータトラフィック、低レイテンシのユニキャストトラフィック、および低レイテンシのブロードキャストトラフィックのうちの１つまたは複数を含む。
【００１２】
[0012]  ワイヤレス通信のためのデバイスが、第１の種類のトラフィックをゲートウェイアクセスポイントから直接受信するように構成された局を含み、ここで局によって受信されるビーコン信号が第１の種類のトラフィックの一部として受信され、さらに局は、第２の種類のトラフィックをゲートウェイアクセスポイントから少なくとも１つのリレーアクセスポイントを介して受信するように構成される。本デバイスのいくつかの実施形態において、局は、第１の種類のトラフィックを２ＧＨｚ帯リンクまたはｓｕｂ−１ＧＨｚ帯リンクによってゲートウェイアクセスポイントから直接受信するように構成される。本デバイスのいくつかの実施形態において、局は、第２の種類のトラフィックを少なくとも１つのリレーアクセスポイントを介して少なくとも１つの５ＧＨｚ帯リンクによってゲートウェイアクセスポイントから受信するように構成される。本デバイスのいくつかの実施形態において、第１の種類のトラフィックは、低バーストのブロードキャストトラフィック、低バーストのマルチキャストトラフィック、および低バーストのユニキャストトラフィックのうちの１つまたは複数を含み、第２の種類のトラフィックは、高バーストのユニキャストデータトラフィック、高バーストのブロードキャストデータトラフィック、低レイテンシのユニキャストトラフィック、および低レイテンシのブロードキャストトラフィックのうちの１つまたは複数を含む。
【００１３】
[0013]  ワイヤレス通信のためのシステムが、局と、局に通信可能に結合するゲートウェイアクセスポイントと、ゲートウェイアクセスポイントおよび局に通信可能に結合する少なくとも１つのリレーアクセスポイントと、を含んでおり、ゲートウェイアクセスポイントは、第１の種類のトラフィックを長距離用の無線リンクによって局へと直接送信するように構成され、局へと送信されるビーコン信号が、第１の種類のトラフィックの一部として送信され、ゲートウェイアクセスポイントは、第２の種類のトラフィックを少なくとも１つのリレーアクセスポイントを介して少なくとも１つの短距離用の無線リンクによって局へと送信するように構成される。
【００１４】
[0014]  ワイヤレス通信のための装置が、第１の種類のトラフィックをゲートウェイアクセスポイントから局へと直接送信するための手段を含み、局へと送信されるビーコン信号が、第１の種類のトラフィックの一部として送信される。本装置は、第２の種類のトラフィックをゲートウェイアクセスポイントから局へと少なくとも１つのリレーアクセスポイントを介して送信するための手段をさらに含む。本装置のいくつかの実施形態において、第１の種類のトラフィックを送信するための手段は、低スループットトラフィックを送信するための手段を含み、第２の種類のトラフィックを送信するための手段は、高スループットトラフィックを送信するための手段を含む。本装置のいくつかの実施形態において、第１の種類のトラフィックを送信するための手段は、第１の種類のトラフィックを２ＧＨｚ帯リンクまたはｓｕｂ−１ＧＨｚ帯リンクによって送信するための手段を含む。本装置のいくつかの実施形態において、第２の種類のトラフィックを送信するための手段は、第２の種類を少なくとも１つの５ＧＨｚ帯リンクによって送信するための手段を含む。
【００１５】
[0015]  本装置のいくつかの実施形態において、第１の種類のトラフィックを送信するための手段は、低バーストのブロードキャストトラフィック、低バーストのマルチキャストトラフィック、および低バーストのユニキャストトラフィックのうちの１つまたは複数を送信するための手段を含み、第２の種類のトラフィックを送信するための手段は、高バーストのユニキャストデータトラフィック、高バーストのブロードキャストデータトラフィック、低レイテンシのユニキャストトラフィック、および低レイテンシのブロードキャストトラフィックのうちの１つまたは複数を送信するための手段を含む。
【００１６】
[0016]  ワイヤレス通信のための装置が、第１の種類のトラフィックを局においてゲートウェイアクセスポイントから直接受信するための手段を含み、局によって受信されるビーコン信号が、第１の種類のトラフィックの一部として受信される。本装置は、第２の種類のトラフィックを局においてゲートウェイアクセスポイントから少なくとも１つのリレーアクセスポイントを介して受信するための手段をさらに含む。本装置のいくつかの実施形態において、第１の種類のトラフィックを受信するための手段は、低スループットトラフィックを受信するための手段を含み、第２の種類のトラフィックを受信するための手段は、高スループットトラフィックを受信するための手段を含む。本装置のいくつかの実施形態において、第１の種類のトラフィックを受信するための手段は、第１の種類のトラフィックを２ＧＨｚ帯リンクまたはｓｕｂ−１ＧＨｚ帯リンクによって受信するための手段を含む。本装置のいくつかの実施形態において、第２の種類のトラフィックを受信するための手段は、第２の種類を少なくとも１つの５ＧＨｚ帯リンクによって受信するための手段を含む。
【００１７】
[0017]  本装置のいくつかの実施形態において、第１の種類のトラフィックを受信するための手段は、低バーストのブロードキャストトラフィック、低バーストのマルチキャストトラフィック、および低バーストのユニキャストトラフィックのうちの１つまたは複数を受信するための手段を含み、第２の種類のトラフィックを受信するための手段は、高バーストのユニキャストデータトラフィック、高バーストのブロードキャストデータトラフィック、低レイテンシのユニキャストトラフィック、および低レイテンシのブロードキャストトラフィックのうちの１つまたは複数を受信するための手段を含む。
【００１８】
[0018]  コンピュータプログラム製品が、ゲートウェイアクセスポイントから局へ第１の種類のトラフィックを送信することであって、局へと送信されるビーコン信号が第１の種類のトラフィックの一部として送信される、送信することを、少なくとも１つのコンピュータに実行させるコードを有している非一時的なコンピュータ可読媒体を含む。非一時的なコンピュータ可読媒体は、少なくとも１つのリレーアクセスポイントを介したゲートウェイアクセスポイントから局へ第２の種類のトラフィックを送信するように、少なくとも１つのコンピュータに実行させるコードをさらに有する。
【００１９】
[0019]  コンピュータプログラム製品が、局においてゲートウェイアクセスポイントから第１の種類のトラフィックを直接受信することであって、局によって受信されるビーコン信号が第１の種類のトラフィックの一部として受信される、受信することを、少なくとも１つのコンピュータに実行させるコードを有している非一時的なコンピュータ可読媒体を含む。非一時的なコンピュータ可読媒体は、また、局において少なくとも１つのリレーアクセスポイントを介したゲートウェイアクセスポイントから第２の種類のトラフィックを受信することを、少なくとも１つのコンピュータに実行させるコードを有する。
【００２０】
[0020]  以上、後述される詳細な説明をよりよく理解できるように、本開示による実施例の特徴および技術的利点をかなり大まかに概説した。さらなる特徴および利点が、以下で説明される。開示される概念および具体例は、本発明の同じ目的を実行するための他の構造を改良または設計するための基礎として容易に利用され得る。そのような同等の構成は、添付の特許請求の範囲の技術的思想および技術的範囲から外れるものではない。構成および動作の方法の両方に関して本明細書に開示される考え方に典型的であると考えられる特徴が、関連の利点とともに、以下の詳細な説明を添付の図面と併せて検討することによって、よりよく理解されるであろう。図面の各々は、あくまでも例示および説明の目的で提示されているにすぎず、特許請求の範囲の境界を定めるものとして提示されているのではない。
【００２１】
[0021]  本発明の性質および利点のさらなる理解が、以下の図面を参照することによって達成され得る。添付の図面において、類似の構成要素または特徴は、同じ参照ラベルを有し得る。さらに、同じ種類の種々の構成要素は、参照ラベルの後ろにダッシュ記号および類似の構成要素間の区別となる第２のラベルを続けることによって識別され得る。明細書において第１の参照レベルだけが使用されている場合、説明は、第２の参照ラベルにかかわらず同じ第１の参照ラベルを有している類似の構成要素の任意の１つに当てはまる。
【図面の簡単な説明】
【００２２】
【図１】[0022]  図１は、種々の実施形態によるワイヤレスローカルエリアネットワーク（ＷＬＡＮ）の例を説明する図を示している。
【図２Ａ】[0023]  図２Ａは、種々の実施形態によるマルチバンドワイヤレス中継ネットワークの例を説明する図を示している。
【図２Ｂ】[0024]  図２Ｂは、種々の実施形態によるマルチバンドワイヤレス中継ネットワークの別の例を説明する図を示している。
【図２Ｃ】[0025]  図２Ｃは、種々の実施形態によるマルチバンドワイヤレス中継ネットワークのさらに別の例を説明する図を示している。
【図３Ａ】[0026]  図３Ａは、種々の実施形態によるワイヤレス通信において使用するためのゲートウェイＡＰなどのデバイスの例を説明する図を示している。
【図３Ｂ】図３Ｂは、種々の実施形態によるワイヤレス通信において使用するためのゲートウェイＡＰなどのデバイスの例を説明する図を示している。
【図４Ａ】[0027]  図４Ａは、種々の実施形態によるワイヤレス通信において使用するための局などのデバイスの例を説明する図を示している。
【図４Ｂ】図４Ｂは、種々の実施形態によるワイヤレス通信において使用するための局などのデバイスの例を説明する図を示している。
【図５Ａ】[0028]  図５Ａは、種々の実施形態によるワイヤレス通信において使用するためのリレーＡＰなどのデバイスの例を説明する図を示している。
【図５Ｂ】図５Ｂは、種々の実施形態によるワイヤレス通信において使用するためのリレーＡＰなどのデバイスの例を説明する図を示している。
【図６】[0029]  図６は、種々の実施形態によるゲートウェイＡＰのアーキテクチャの例を説明するブロック図を示している。
【図７】[0030]  図７は、種々の実施形態による局のアーキテクチャの例を説明するブロック図を示している。
【図８】[0031]  図８は、種々の実施形態によるリレーＡＰのアーキテクチャの例を説明するブロック図を示している。
【図９】[0032]  種々の実施形態による（例えば、ゲートウェイＡＰにおける）ワイヤレス中継ネットワークのマルチバンド管理のための方法の例のフロー図である。
【図１０】種々の実施形態による（例えば、ゲートウェイＡＰにおける）ワイヤレス中継ネットワークのマルチバンド管理のための方法の例のフロー図である。
【図１１】種々の実施形態による（例えば、ゲートウェイＡＰにおける）ワイヤレス中継ネットワークのマルチバンド管理のための方法の例のフロー図である。
【図１２】[0033]  種々の実施形態による（例えば、局における）ワイヤレス中継ネットワークのマルチバンド管理のための方法の例のフロー図である。
【図１３】種々の実施形態による（例えば、局における）ワイヤレス中継ネットワークのマルチバンド管理のための方法の例のフロー図である。
【図１４】種々の実施形態による（例えば、局における）ワイヤレス中継ネットワークのマルチバンド管理のための方法の例のフロー図である。
【発明を実施するための形態】
【００２３】
[0034]  説明される実施形態は、レガシーまたはゲートウェイＡＰのカバレッジがワイヤレス中継ネットワークのマルチバンド管理を使用することによって拡大され得る、ワイヤレス通信のための方法、デバイス、システム、および装置に関する。ゲートウェイＡＰは、５ＧＨｚ（５Ｇ）帯において動作することができる新たなデバイス（例えば、ＩＥＥＥ  ８０２．１１−ａｃ準拠のデバイス）を使用するＷＬＡＮまたはＷｉ−Ｆｉネットワークの一部であり得る。５Ｇ帯は、他の帯域と比べて、豊富なスペクトルを提供し、干渉が少ない。５Ｇ帯において動作するデバイスは、標準的なＥｔｈｅｒｎｅｔ（登録商標）のスループット性能と同様の毎秒１ギガビットの端末間スループットに到達し得る。しかしながら、これらの新たなデバイスによってもたらされるより大きなリンク容量においてさえも、Ｗｉ−Ｆｉネットワークのカバレッジは、例えば送信出力の規制および／または無線の電波の特性ゆえに、制限されたままとなり得る。Ｗｉ−Ｆｉネットワークのカバレッジを広げるための１つの手法は、ゲートウェイＡＰの能力を拡張するためにワイヤレスリレー（例えば、リレーＡＰ）を使用することである。
【００２４】
[0035]  ワイヤレスディストリビューションシステム（ＷＤＳ）が、Ｗｉ−Ｆｉネットワークのカバレッジをワイヤレスにて拡張するために最も一般的に用いられる技術の１つである。ＷＤＳにおいては、マルチプルなＡＰ（すなわち、ＡＰノード）が配置され得、局は最も近いＡＰに結び付き得る。ＡＰは、マルチホップ通信など、ワイヤレスにて互いに通信し得る。ＡＰは、カバレッジの拡張を提供し、各々の中継リンクを確保するために、（例えば、ＩＥＥＥ  ８０２．１１ｓを使用することによって）メッシュネットワークを組織し得る。
【００２５】
[0036]  別の中継技術は、Ｗｉ−Ｆｉダイレクト、またはピアツーピア（Ｐ２Ｐ）である。この技術においては、ネットワーク内のＷｉ−Ｆｉダイレクトに対応したデバイス（例えば、局）を、ソフトＡＰまたはグループオーナー（ＧＯ）として働くように選択されることができ、他の局は、ゲートウェイＡＰのカバレッジを効果的に拡張するために近隣のＧＯに結び付くことができる。ＧＯは、関連の局とゲートウェイＡＰとの間のトラフィックの中継を助けることができる。
【００２６】
[0037]  これらの中継技術において、対応するＬ２ブリッジングまたはＬ３ルーティングを、関連の局とＡＰとの間のパケットを上位層からの介入なしでトランスペアレントに通過させるように、中継ノードにおいて正しく設定することが必要となり得る。
【００２７】
[0038]  さらに、これらの中継技術において、ゲートウェイＡＰの役割は、ＷＤＳ  ＡＰまたはＧＯへと効果的に拡張される。すなわち、ＷＤＳ  ＡＰまたはＧＯは、依然としてゲートウェイＡＰの機能を実行することを必要とし得る。例えば、ＷＤＳ  ＡＰまたはＧＯは、関連の局へとビーコンをブロードキャストし、存在するのであればゲートウェイＡＰのためのマルチキャストまたはブロードキャストトラフィックを中継することを、必要とし得る。ブロードキャストされるビーコンの中継は、リレーＡＰ（例えば、ＷＤＳ  ＡＰまたはＧＯ）に負担をまねき得る。なぜならば、これらのデバイスは、時々、典型的な局とちょうど同じように出力および／または処理（例えば、中央演算処理ユニットまたはＣＰＵ）の限界を有し得るからである。さらに、ビーコンの中継は、局の電力節約モードの中継機能を提供するＡＰの動作との調整を含み、ネットワーク管理の複雑さを増し得る。例えば、関連の局が電力節約モード（例えば、スリープモード）への移行を望む場合、リレーＡＰは、その局に宛てられたゲートウェイＡＰからのデータのバッファを助けるために、起動した状態のまま（remain awake）である（例えば、電力節約モードに移行しない）ことを必要とし得る。さらに、リレーＡＰは、局にパケットの到着について知らせるために、トラフィック表示マップ（ＴＩＭ）を生成することを必要とし得る。リレーＡＰがこれらのタスクを実行できない場合、ネットワークの電力性能が損なわれかねない。
【００２８】
[0039]  上述の問題のうちのいくつかに対処するために、Ｗｉ−Ｆｉネットワークは、今や大部分のＷｉ−Ｆｉネットワークデバイス（例えば、ＡＰ）およびワイヤレスデバイス（例えば、ＳＴＡ）がマルチプルな通信帯域を典型的にサポートするがゆえに、通信のためにマルチプルな帯域を使用して実現され得る。例えば、Ｗｉ−Ｆｉデバイスは、デバイスがマルチプルなチャネルまたは帯域（例えば、２ＧＨｚ（２Ｇ）帯、５Ｇ帯、サブ１ＧＨｚ（ｓｕｂ−１Ｇ）帯）において同時に動作することを可能にするマルチプルな無線機を装備され得る。５Ｇ帯における動作は、充分な帯域幅およびスループットを提供するが、カバレッジが限られている。より良好なカバレッジを得るために、より大きなカバレッジを有する他の帯域が、５Ｇ帯と同時に使用され得る。例えば、２Ｇ帯のカバレッジは、５Ｇ帯のカバレッジよりも大きく、充分なスループットおよびカバレッジの両方を提供するように両方の帯域を同時に使用され得る。ｓｕｂ−１Ｇ帯およびＴＶホワイトスペース帯（例えば、ＩＥＥＥ  ８０２．１１ａｆ）のカバレッジは、２Ｇ帯のカバレッジよりも大きく、これらの帯域も、５Ｇ帯と同時に使用され得る。
【００２９】
[0040]  したがって、１つの手法は、ゲートウェイＡＰが同時に別個独立のパスまたは帯域を通じて局と結び付き、その局と通信することを可能にすることである。例えば、ゲートウェイＡＰは、特定の種類のトラフィック（例えば、ビーコン信号、低スループットのトラフィック）を送信するために長距離用のＷｉ−Ｆｉリンク（例えば、２Ｇ帯リンクまたはｓｕｂ−１Ｇ帯リンク）によって局と直接通信し得る。また、ゲートウェイＡＰは、他の種類のトラフィック（例えば、より高いスループットのトラフィック、低レイテンシのトラフィック）を送信するために、少なくとも１つのワイヤレスリレー（例えば、リレーＡＰ）を介し、少なくとも１つの短距離用のＷｉ−Ｆｉリンク（例えば、５Ｇ帯リンク）によって、間接的に局と通信し得る。この手法は、特定の状況について所望される適切なスループットおよびカバレッジの両方を提供し得る。しかしながら、局へと典型的に送信またはブロードキャストされるビーコン信号は、長距離用の無線リンクによって直接送信され、リレーＡＰによって中継されることがない。したがって、ビーコン信号の送信は、ゲートウェイＡＰによって保持され、リレーＡＰの負担が小さくなる。ゲートウェイＡＰの他の機能は、リレーＡＰへと拡張される。
【００３０】
[0041]  提案される手法の別の態様において、局は、電力節約モードにおかれ得、ゲートウェイＡＰによって長距離用の無線リンクを通じて送信されるビーコン信号をリッスンするために定期的に起動し得る。また、リレーＡＰも、サーブすべき他の局が存在しない場合にスリープまたは電力節約モードとされ得、自身の長距離用の無線リンク（そのようなリンクが利用可能である場合）においてビーコン信号をリッスンするために起動し得る。長距離用の無線リンクにおけるビーコン信号が、局について何らかのバッファされたデータが存在する旨を示すＴＩＭを含む場合、局およびリレーＡＰの両方が起動し得、局が、データを局へと送信してよい旨をゲートウェイＡＰに知らせ得る。
【００３１】
[0042]  ワイヤレス中継ネットワークのマルチバンド管理を使用するワイヤレス通信について本明細書において説明される種々の技術は、ＷＬＡＮまたはＷｉ−Ｆｉネットワークに関して説明される。ＷＬＡＮまたはＷｉ−Ｆｉネットワークは、例えば種々のＩＥＥＥ  ８０２．１１規格（例えば、ＩＥＥＥ  ８０２．１１ａ／ｇ、８０２．１１ｎ、８０２．１１ａｃ、８０２．１１ａｈ、など）において説明されるプロトコルにもとづくネットワークを指し得る。しかしながら、同じまたは類似の技術は、任意のワイヤレスネットワーク（例えば、セルラーネットワーク）においても使用され得る。例えば、同じまたは類似の技術は、セルラーワイヤレスシステム、ピアツーピアワイヤレス通信、アドホックネットワーク、衛星通信システム、および他のシステム、などの種々のワイヤレス通信システムに使用され得る。用語「システム」および「ネットワーク」は、しばしば入れ換え可能に使用される。これらのワイヤレス通信システムは、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、シングルキャリアＦＤＭＡ（ＳＣ−ＦＤＭＡ）、および／または他の無線技術など、種々の無線通信技術を採用し得る。一般に、ワイヤレス通信は、無線アクセス技術（ＲＡＴ）と呼ばれる１つまたは複数の無線通信技術の標準化された実装に従って実行される。無線アクセス技術を実装するワイヤレス通信システムまたはネットワークは、無線アクセスネットワークと呼ばれ得る。
【００３２】
[0043]  ＣＤＭＡ技術を使用する無線アクセス技術の例として、ＣＤＭＡ２０００、ユニバーサル地上無線アクセス（ＵＴＲＡ）、などが挙げられる。ＣＤＭＡ２０００は、ＩＳ−２０００、ＩＳ−９５、およびＩＳ−８５６規格を包含する。ＩＳ−２０００  リリース０およびＡは、一般に、ＣＤＭＡ２０００  １Ｘ、１Ｘ、などと称される。ＩＳ−８５６（ＴＩＡ−８５６）は、一般に、ＣＤＭＡ２０００  １ｘＥＶ−ＤＯ、高レートパケットデータ（ＨＲＰＤ）、などと称される。ＵＴＲＡは、広帯域ＣＤＭＡ（ＷＣＤＭＡ（登録商標））およびＣＤＭＡの他の変形形態を含む。ＴＤＭＡシステムの例は、移動通信用グローバルシステム（ＧＳＭ（登録商標））の種々の実装を含む。ＯＦＤＭおよび／またはＯＦＤＭＡを採用する無線アクセス技術の例として、ウルトラモバイルブロードバンド（ＵＭＢ）、エボルブドＵＴＲＡ（Ｅ−ＵＴＲＡ）、Ｗｉ−Ｆｉ、ＩＥＥＥ  ８０２．１６（ＷｉＭＡＸ）、ＩＥＥＥ  ８０２．２０、Ｆｌａｓｈ−ＯＦＤＭ、などが挙げられる。ＵＴＲＡおよびＥ−ＵＴＲＡは、ユニバーサル移動体通信システム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新リリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と呼ばれる組織からの文書に説明されている。ＣＤＭＡ２０００およびＵＭＢは、「第３世代パートナーシッププロジェクト２」（３ＧＰＰ２）と呼ばれる組織からの文書に説明されている。本明細書に記載の技術は、上述のシステムおよび無線システムならびに他のシステムおよび無線技術について使用され得る。
【００３３】
[0044]  したがって、以下の説明は、いくつかの例を提供するが、特許請求の範囲に記載される技術的範囲、適用性、または構成を限定するものではない。説明される構成要素の機能および配置は、本発明の技術的思想および技術的範囲から離れることなく変更され得る。種々の実施形態は、必要に応じて種々の手順または構成要素を省略、置換、または追加し得る。例えば、説明される方法は、説明における順序とは異なる順序で実行され得、種々の工程が追加され、省略され、あるいは結み合わせ得る。また、特定の実施形態に関して説明される特徴を、他の実施形態において組み合わせ得る。
【００３４】
[0045]  図１は、ＷＬＡＮまたはＷｉ−Ｆｉネットワークの例を含む図１００を示している。アクセスポイント（ＡＰ）１０５（すなわち、ネットワークデバイス）は、クライアントデバイス１１５とともにＩＥＥＥ  ８０２．１１ネットワークなどのワイヤレスローカルエリアネットワークを生成し得る。クライアントデバイス１１５は、ワイヤレスステーション、局、またはＳＴＡとも称されるが、ＷＬＡＮのカバレッジ領域１２０内に分布され得、あるいは配置され得る。各々の局１１５は、（通信リンク１２５を使用して）特定の帯域によってＡＰ  １０５と結び付き得、通信し得る。ＡＰ  １０５は、１つの帯域をサポートし得（例えば、１つの無線機を含む）、あるいはマルチプルな帯域をサポートし得る（例えば、マルチプルな無線機を含む）。同様に、局１１５は、１つの帯域またはマルチプルな帯域をサポートし得る。マルチプルな帯域がＡＰ  １０５および局１１５によってサポートされる場合、帯域のうちの少なくとも１つが、２つのデバイスの間の通信のために選択され得る。
【００３５】
[0046]  カバレッジ領域１２０は、ＡＰ  １０５と局１１５との間の通信に使用される帯域に応じて変化し得る。例えば、高スループットの短距離用の無線リンク（例えば、５Ｇ帯リンク）は、低スループットの長距離用の無線リンク（例えば、２Ｇ無線リンク）よりも小さいカバレッジを提供し得る。高いスループットおよび広いカバレッジの両方を可能にするために、マルチプルな高スループットの短距離用の無線リンクを使用するワイヤレス中継（wireless relaying）（例えば、リレーＡＰ）が使用され得る。しかしながら、上述のように、ＡＰ  １０５によってブロードキャストされるビーコン信号の中継は、リレーＡＰに多大な負担をもたらす可能性がある。別の手法は、ＡＰ  １０５と局１１５との間の通信がワイヤレス中継を使用しているときにマルチプルな帯域によって同時に生じることを可能にすることである。この筋書きにおいて、低スループットの長距離用の無線リンクが、ビーコン信号を含む特定の種類のトラフィックの通信に使用され得る一方で、マルチプルな高スループットの短距離用の無線リンクが、高バーストまたは低レイテンシのトラフィックを含む別の種類のトラフィックの通信に使用され得る。この手法によれば、高いスループットおよび広いカバレッジの両方を、中継ＡＰに負担をかける必要なく得ることができる。以下で説明される図２Ａ〜２Ｃが、ワイヤレス中継ネットワークのマルチバンド管理の種々の態様についてのさらなる詳細を提供する。
【００３６】
[0047]  図２Ａは、ワイヤレス中継ネットワークのマルチバンド管理を使用するＷＬＡＮの例を含む図２００を示している。図１のＡＰ  １０５の例であり得るゲートウェイＡＰ  １０５−ａが示されている。さらに、図１の局１１５の例であり得る局（ＳＴＡ）１１５−ａも示されている。加えて、中継機能を提供するように構成された図１のＡＰ  １０５の例であり得るリレーＡＰ  １０５−ｂが示されている。いくつかの事例において、リレーＡＰ  １０５−ｂは、中継ＡＰの機能の少なくとも一部を提供するように構成された局または他の同様のデバイスであり得る。
【００３７】
[0048]  図２Ａに示されるＷＬＡＮは、充分なカバレッジを提供するために（すなわち、ゲートウェイＡＰ  １０５−ａのカバレッジを広げるために）少なくとも１つのリレーＡＰ  １０５−ｂを必要とし得る家庭用または業務用ワイヤレス中継ネットワークに相当し得る。これらの事例において、リレーＡＰ  １０５−ｂは、ネットワークによって提供されるワイヤレスカバレッジを最適化し得る家庭または事業所内の場所に配置され得る。リレーＡＰ  １０５−ｂは、コンセントに差し込むことができる、電力の制約がないフォームファクタデバイスであり得る。しかしながら、他の場合に、リレーＡＰ  １０５−ｂは、器具（appliance）または他の局であり得、少なからぬ電力および／またはＣＰＵの制限を有し得る。
【００３８】
[0049]  ゲートウェイＡＰ  １０５−ａは、ネットワーク２０５と通信するように構成され得る。ネットワーク２０５は、データまたはコンテンツネットワークならびに／あるいはワイドエリアネットワークであり得る。ネットワーク２０５の例は、インターネットであり得る。ゲートウェイＡＰ  １０５−ａは、ネットワーク２０５との通信リンク２１０を確立するために、有線および／またはワイヤレスの通信プロトコルを使用し得る。例えば、ゲートウェイＡＰ  １０５−ａは、ネットワーク２０５に通信可能に結合するために、ケーブルモデム、デジタルサービスリンク（ＤＳＬ）モデム、Ｔ１またはＴ３回線などの光通信リンク、または任意の他の形態の有線通信プロトコルのうちの１つまたは複数を使用し得る。別の例において、ゲートウェイＡＰ  １０５−ａは、ワイヤレスにてセルラーネットワーク（例えば、３Ｇ、４Ｇ）に結合し得る。ゲートウェイＡＰ  １０５−ａは、局１１５−ａがゲートウェイＡＰ  １０５−ａを介して別のネットワークと通信できるよう、有線（例えば、Ｅｔｈｅｒｎｅｔ（登録商標））またはワイヤレス（Ｗｉ−Ｆｉ）ルータあるいはセルラーからＷｉ−Ｆｉへのホットスポットデバイスを含み得る。
【００３９】
[0050]  局１１５−ａは、ゲートウェイＡＰ  １０５−ａと結び付き、通信リンク２２０によってゲートウェイＡＰ  １０５−ａと直接通信するように構成され得る。通信リンク２２０は、ゲートウェイＡＰ  １０５−ａと局１１５−ａとの間の特定の種類のトラフィックの通信に使用される長距離用の低スループットの無線リンクであり得る。通信リンク２２０は、５Ｇ帯よりも長いレンジを提供する２Ｇ帯またはｓｕｂ−１Ｇ帯を使用し得る。図２Ａには示されていないが、ゲートウェイＡＰ  １０５−ａおよび局１１５−ａの両者は、通信リンク２２０によって使用される帯域（例えば、２Ｇ帯またはｓｕｂ−１Ｇ帯）における送信および／または受信をサポートする無線機を含み得る。
【００４０】
[0051]  ゲートウェイＡＰ  １０５−ａと局１１５−ａとの間の通信は、局１１５−ａへの直接のビーコン信号の送信を含み得る。この方法で、ビーコン信号は、リレーＡＰ  １０５−ｂによって局１１５−ａへと中継されることがなく、リレーＡＰ  １０５−ｂがこの機能から解放される。ゲートウェイＡＰ  １０５−ａから局１１５−ａへの通信は、例えば低バーストのブロードキャストトラフィック、低バーストのマルチキャストトラフィック、および／または低バーストのユニキャストトラフィックを含み得る。低バーストのブロードキャストトラフィックは、一般に、しきい値よりも小さいバーストのブロードキャストトラフィックを指し得る。例えば、トラフィックバーストのサイズ（例えば、指定の時間期間内のトラフィックのビットまたはバイト数）を、トラフィックバーストが小さい（例えば、しきい値未満）か、あるいは大きい（例えば、しきい値を超える）かを決定するように、ゲートウェイＡＰ  １０５−ａによってしきい値と比較され得る。いくつかの場合、低バーストのトラフィックは、トラフィックバーストが第１のしきい値（すなわち、低しきい値）未満である場合に生じ得、高バーストのトラフィックは、トラフィックバーストが第２のしきい値（すなわち、高しきい値）よりも大きい場合に生じ得る。トラフィックバーストは、短い時間のうちに送信されるバッファ、待ち行列、または何らかの他のストレージデバイスに記憶されたデータまたは他の情報によって引き起こされ得る。低バーストのマルチキャスト（または、ユニキャスト）トラフィックは、また、しきい値未満のトラフィックバーストも指し得る。ブロードキャスト、マルチキャスト、およびユニキャストトラフィックの各々は、それぞれのバーストが低バーストであるか、あるいは高バーストであるかを決定するために、同じまたは異なるしきい値を使用し得る。これらのしきい値は、例えば伝送（transmission）および／または動作状態（operating conditions）にもとづき、時間につれて調整され得る。ゲートウェイＡＰ  １０５−ａは、例えばトラフィックの中身（例えば、映像トラフィック、電子メールトラフィック）を特定し、さらには／あるいはバッファまたは待ち行列のレベルがしきい値レベル（例えば、低バーストトラフィック、高バーストトラフィック）を超えるか否かを決定することによって、どのトラフィックを局１１５−ａへと直接通信すべきかを識別するように構成され得る。例えば、電子メールトラフィックまたは低バーストトラフィックなどの一部のトラフィックについて、ゲートウェイＡＰ  １０５−ａは、トラフィックを通信リンク２２０にて局１１５−ａへと直接送信し得る。これらの場合、リレーＡＰ  １０５−ｂは、完全にオフデューティ（off duty）であり得、これらの送信のいかなる態様も取り扱う必要がない。ゲートウェイＡＰ  １０５−ａは、リレーＡＰ  １０５−ｂを介して間接的に局１１５−ａへと送信され得る例えば映像トラフィックまたは高バーストトラフィックなどの他のトラフィックを識別し得る。
【００４１】
[0052]  ゲートウェイＡＰ  １０５−ａと同様に、局１１５−ａも、どのトラフィックをゲートウェイＡＰ  １０５−ａへと直接通信すべきかを識別するように構成され得る。局１１５−ａは、例えばトラフィックの中身（例えば、映像トラフィック、電子メールトラフィック）を特定し、さらには／あるいはバッファまたは待ち行列のレベルがしきい値レベル（例えば、低バーストトラフィック、高バーストトラフィック）を超えるか否かを決定することによって、ゲートウェイＡＰ  １０５−ａへと直接通信すべきトラフィックを識別し得る。例えば、電子メールトラフィックなどの一部のトラフィックについて、局１０５−ａは、トラフィックを通信リンク２２０にてゲートウェイＡＰ  １０５−ａへと直接送信し得る。これらの場合、リレーＡＰ  １０５−ｂは、完全にオフデューティであり得、これらの送信のいかなる態様も取り扱う必要がない。局１１５−ａは、リレーＡＰ  １０５−ｂを介して間接的にゲートウェイＡＰ  １０５−ａへと送信され得る例えば映像トラフィックなどの他のトラフィックを識別し得る。
【００４２】
[0053]  局１１５−ａは、リレーＡＰ  １０５−ｂと結び付き、通信リンク２３５によってリレーＡＰ  １０５−ｂと直接通信するように構成され得る。通信リンク２３５は、短距離用の高スループットの無線リンクであり得る。通信リンク２３５は、２Ｇまたはｓｕｂ−１Ｇ帯よりもレンジは短いが、より高いスループットを提供する５Ｇ帯を使用し得る。図２Ａには示されていないが、リレーＡＰ  １０５−ｂおよび局１１５−ａの両者は、通信リンク２３５によって使用される帯域（例えば、５Ｇ帯）における送信および／または受信をサポートする無線機を含み得る。
【００４３】
[0054]  リレーＡＰ  １０５−ｂは、ゲートウェイＡＰ  １０５−ａの機能の一部を拡張し、通信リンク２３０によってゲートウェイＡＰ  １０５−ａと直接通信するように構成され得る。通信リンク２３０は、短距離用の高スループットの無線リンクであり得る。通信リンク２３０は、２Ｇまたはｓｕｂ−１Ｇ帯よりもレンジが短いが、より高いスループットを提供する５Ｇ帯を使用し得る。図２Ａには示されていないが、リレーＡＰ  １０５−ｂおよびゲートウェイＡＰ  １０５−ａの両者は、通信リンク２３０によって使用される帯域（例えば、５Ｇ帯）における送信および／または受信をサポートする無線機を含み得る。いくつかの事例において、通信リンク２３０は、５Ｇ帯において通信リンク２３５が使用するチャネルとは異なるチャネルを使用し得る。異なるチャネルを使用することで、同じ帯域を使用する場合の２つの通信リンクの間の干渉が軽減され得る。
【００４４】
[0055]  リレーＡＰ  １０５−ｂを介したゲートウェイＡＰ  １０５−ａから局１１５−ａへの通信は、例えば、高バーストのユニキャストデータトラフィック、高バーストのブロードキャストデータトラフィック、低レイテンシのユニキャストトラフィック、および／または低レイテンシのブロードキャストトラフィックを含み得る。高バーストのユニキャストトラフィックは、一般に、しきい値よりも大きいバーストのユニキャストトラフィックを指し得る。例えば、トラフィックバーストのサイズを、トラフィックバーストが小さい（例えば、しきい値未満）か、あるいは大きい（例えば、しきい値を超える）かを決定するようにゲートウェイＡＰ  １０５−ａによってしきい値と比較され得る。いくつかの場合、低バーストのトラフィックは、トラフィックバーストが第１のしきい値（すなわち、低しきい値）未満である場合に生じ得、高バーストのトラフィックは、トラフィックバーストが第２のしきい値（すなわち、高しきい値）よりも大きい場合に生じ得る。高バーストのブロードキャストトラフィックも、しきい値（例えば、高しきい値）よりも大きいトラフィックバーストを指し得る。ユニキャストおよびブロードキャストトラフィックの各々は、それぞれのバーストが低バーストであるか、あるいは高バーストであるかを決定するために、同じまたは異なるしきい値を使用し得る。これらのしきい値は、例えば伝送および／または状態にもとづき、時間につれて調整され得る。他方で、低レイテンシのユニキャスト（または、ブロードキャスト）トラフィックは、しきい値よりも小さいレイテンシのトラフィックを指し得る。例えば、ゲートウェイＡＰ  １０５−ａは、レイテンシが小さい（例えば、しきい値未満）か、あるいは大きい（例えば、しきい値を超える）かを決定するように特定のトラフィックのレイテンシ（例えば、システムレベルの時間遅延）をしきい値と比較し得る。いくつかの事例においては、低レイテンシしきい値（低レイテンシの決定用）および別の高レイテンシしきい値（高レイテンシの決定用）が使用され得る。ユニキャストおよびブロードキャストトラフィックの各々は、レイテンシが低いか、あるいは高いかを決定するために、同じまたは異なるしきい値を使用し得る。トラフィックの低バーストおよび高バーストの決定に使用されるしきい値と同様に、レイテンシのしきい値も、例えば伝送および／または動作状態にもとづいて時間につれて調整され得る。
【００４５】
[0056]  ゲートウェイＡＰ  １０５−ａと局１１５−ａとの間の直接的および間接的（すなわち、中継される）な通信経路を、２Ｇおよび５Ｇ帯に関して説明したが、本発明は必ずしもそのように限定されるわけではない。ゲートウェイＡＰ  １０５−ａと局１１５−ａとの間の直接的な通信は、ゲートウェイＡＰ  １０５−ａと局１１５−ａとの間の間接的な通信（例えば、リレーＡＰ  １０５−ｂを介する）に使用される帯域よりも長いレンジを提供する任意の帯域を使用し得る。
【００４６】
[0057]  通信リンク２２０は、また、制御およびシグナリングのトラフィックのためにも使用され得る。例えば、通信リンク２２０は、リレーＡＰ  １０５−ｂのリレー機能を提供するために使用されるリレーリンクのパラメータの一部またはすべてを設定するために使用され得る。通信リンク２２０および２３５の両方を介して受信されるマルチキャストデータを取り扱うとき、局１１５−ａは、重複があれば破棄するためにデータパケットの中身（例えば、スループット続き番号、ソースアドレス）を検査するように設定され得る。いくつかの事例において、局１１５−ａは、局１１５−ａのグループまたはメンバーシップをリレーＡＰ  １０５−ｂに示し得、したがってリレーＡＰ  １０５−ｂは、他のグループのデバイスに宛てられたパケットについて、局１１５−ａへの中継または再送信を行わない。
【００４７】
[0058]  局１１５−ａが電力節約モード（例えば、スリープモード）へ移行するとき、局１１５−ａは、ゲートウェイＡＰ  １０５−ａによって通信リンク２２０を介して送信されるビーコン信号をリッスンするために定期的に起動し得る。リレーＡＰ  １０５−ｂも、サーブすべき他の局が存在しない場合に、電力節約モード（例えば、スリープモード）へと移行し得る。リレーＡＰ  １０５−ｂは、リレーＡＰ  １０５−ｂに関する長距離用のリンクが存在する場合、ゲートウェイＡＰ  １０５−ａによってそのようなリンクにて送信されるビーコン信号をリッスンするために定期的に起動し得る。ビーコン信号が局１１５−ａのためにバッファされたデータが存在する旨を示すＴＩＭを含む場合、リレーＡＰ  １０５−ｂおよび局１１５−ａの両者は、データを受信できる状態にある旨をゲートウェイＡＰ  １０５−ａに知らせてデータの受信を開始するために起動し得る。
【００４８】
[0059]  短距離用の高スループットのリンク（例えば、通信リンク２３０および２３５）におけるメディアアクセスリソリューションは、長距離用のリンク（すなわち、通信リンク２２０）においても少なくとも部分的に実行され得る。例えば、図２Ａのワイヤレス中継ネットワークにおけるノードは、高スループットのリンク（例えば、通信リンク２３０および２３５）におけるメディアアクセスについて他のノードに知らせるべく、送信要求（ＲＴＳ）信号、送信可（ＣＴＳ）信号、および／またはＣＴＳ−ｔｏ−ｓｅｌｆ信号を送信するために、通信リンク２２０を使用し得る。通信リンク２２０は、より広いカバレッジを提供し、通信リンク２３０および２３５において生じ得る、潜在的な隠れ端末の状況を大いに取り除くことができる。
【００４９】
[0060]  図２Ｂは、図２Ａに関して上述したゲートウェイＡＰ  １０５−ａ、局１１５−ａ、リレーＡＰ  １０５−ｂ、およびネットワーク２０５を含む図２００−ａを示している。ゲートウェイＡＰ  １０５−ａからリレーＡＰ  １０５−ｂへとビーコン信号を送信するための長距離用のリンクを提供するゲートウェイＡＰ  １０５−ａとリレーＡＰ  １０５−ｂとの間の追加の通信リンク２４０が示されている。通信リンク２４０は、ビーコン信号以外のトラフィックのためにも使用され得る。通信リンク２４０は、５Ｇ帯よりも長いレンジを提供するために２Ｇ帯またはｓｕｂ−１Ｇ帯を使用し得る。図２Ｂには示されていないが、ゲートウェイＡＰ  １０５−ａおよびリレーＡＰ  １０５−ｂの両者は、通信リンク２４０によって使用される帯域（例えば、２Ｇ帯またはｓｕｂ−１Ｇ帯）における送信および／または受信をサポートする無線機を含み得る。いくつかの場合、局１１５−ａとの通信リンク２２０およびリレーＡＰ  １０５−ｂとの通信リンク２４０の確立のために、同じ無線機がゲートウェイＡＰ  １０５−ａによって使用され得る。
【００５０】
[0061]  図２Ｃは、図２Ａおよび２Ｂに関して上述したゲートウェイＡＰ  １０５−ａ、局１１５−ａ、リレーＡＰ  １０５−ｂ（リレーＡＰ１と称される）、およびネットワーク２０５を含む図２００−ｂを示している。さらに、リレーＡＰ  １０５−ｂの例であり得る別のリレーＡＰ  １０５−ｃ（リレーＡＰ２と称される）が示されている。図２００−ｂは、１つのリレーＡＰによってもたらされるカバレッジが充分でない場合にどのように１つまたは複数の追加のリレーＡＰが必要とされ得るのかを説明している。この例において、リレーＡＰ１および２は、短距離用の高スループットの通信リンク２４５、２５０、および２５５によるゲートウェイＡＰ  １０５−ａと局１１５−ａとの間の間接的な通信を提供するために使用され得る。通信リンク２４５、２５０、および２５５は、図２Ａおよび２Ｂの通信リンク２３０および２３５の例であり得る。通信リンク２４５、２５０、および２５５は、より高いスループットを提供するために５Ｇ帯を使用し得る。いくつかの場合に、通信リンク２４５、２５０、および２５５は、干渉を減らすために５Ｇ帯における異なるチャネルを使用し得る。リレーＡＰ１および２は、通信リンク２４５、２５０、および２５５を可能にするための１つまたは複数の無線機を含み得る。
【００５１】
[0062]  図３Ａは、種々の実施形態によるワイヤレス通信において使用するためのデバイス１０５−ｄを説明するブロック図３００を示している。いくつかの実施形態において、デバイス１０５−ｄは、図１、２Ａ、２Ｂ、および／または２Ｃを参照して説明したＡＰまたはゲートウェイＡＰ  １０５のうちの１つのＡＰの１つまたは複数の態様の例であり得る。デバイス１０５−ｄは、プロセッサでもあり得る。デバイス１０５−ｄは、受信機モジュール３１０、ゲートウェイＡＰマルチバンド管理および中継モジュール３２０、および／または送信機モジュール３３０を含み得る。これらの構成要素の各々は、互いに通信し得る。
【００５２】
[0063]  デバイス１０５−ｄの構成要素は、個別にまたはまとめて、適用可能な機能の一部またはすべてをハードウェアにて実行するように構成された１つまたは複数の特定用途向け集積回路（ＡＳＩＣ）によってもたらされ得る。あるいは、機能は、１つまたは複数の集積回路上の１つまたは複数の他の処理ユニット（または、コア）によって実行され得る。他の実施形態においては、技術的に公知の任意の方法でプログラムされ得る他の種類の集積回路が使用され得る（例えば、構造化／プラットフォームＡＳＩＣ、フィールドプログラマブルゲートアレイ（ＦＰＧＡ）、および他のセミカスタムＩＣ）。各ユニットの機能は、メモリ内に組み込まれた、１つまたは複数の汎用または特定用途向けのプロセッサによって実行されるようにフォーマットされたインストラクションによって、全体または一部が実現されてもよい。
【００５３】
[0064]  いくつかの実施形態において、受信機モジュール３１０は、ｓｕｂ−１Ｇ帯、２Ｇ帯、および／または５Ｇ帯（あるいは、他のＷｉ−Ｆｉ帯域）における送信を受信するように動作することができる無線周波数（ＲＦ）受信機など、ＲＦ受信機であり得、あるいはＲＦ受信機を含み得る。ＲＦ受信機は、異なる帯域用の別々の受信機を含み得る。受信機モジュール３１０は、図１、２Ａ、２Ｂ、および／または２Ｃを参照して説明したＷＬＡＮまたはＷｉ−Ｆｉネットワークの１つまたは複数の通信リンクなどのワイヤレス通信システムの１つまたは複数の通信リンクを介して種々の種類のデータおよび／または制御信号（すなわち、伝送）を受信するために使用され得る。
【００５４】
[0065]  いくつかの実施形態において、送信機モジュール３３０は、ｓｕｂ−１Ｇ帯、２Ｇ帯、および／または５Ｇ帯（あるいは、他のＷｉ−Ｆｉ帯域）において送信を行うように動作することができるＲＦ送信機など、ＲＦ送信機であり得、あるいはＲＦ送信機を含み得る。ＲＦ送信機は、異なる帯域用の別々の送信機を含み得る。送信機モジュール３３０は、図１、２Ａ、２Ｂ、および／または２Ｃを参照して説明したＷＬＡＮまたはＷｉ−Ｆｉネットワークの１つまたは複数の通信リンクなどのワイヤレス通信システムの１つまたは複数の通信リンクを介して種々の種類のデータおよび／または制御信号（すなわち、伝送）を送信するために使用され得る。
【００５５】
[0066]  いくつかの実施形態において、ゲートウェイＡＰマルチバンド管理および中継モジュール３２０は、第１の種類のトラフィックを局（例えば、局１１５−ａ）へと直接送信し、第２の種類のトラフィックを局へと少なくとも１つのリレーＡＰ（例えば、リレーＡＰ  １０５−ｂ）を介して送信するように構成され、ここで局へと送信されるビーコン信号は、第１の種類のトラフィックの一部として送信される。これらの送信は、局および少なくとも１つのリレーＡＰと同時の通信リンクを有することによってなされ得る。
【００５６】
[0067]  ゲートウェイＡＰマルチバンド管理および中継モジュール３２０のいくつかの実施形態において、第１の種類のトラフィックを送信することは、低スループットトラフィックを送信することを含み、第２の種類のトラフィックを送信することは、高スループットトラフィックを送信することを含む。いくつかの実施形態において、第１の種類のトラフィックを送信することは、長距離用の無線リンクにより第１の種類のトラフィックを送信することを含み、ここで長距離用の無線リンクは、２ＧＨｚ帯リンクまたはｓｕｂ−１ＧＨｚ帯リンクである。いくつかの実施形態において、第２の種類のトラフィックを送信することは、少なくとも１つの短距離用の無線リンクにより第２の種類を送信することを含み、ここで少なくとも１つの短距離用の無線リンクは、５ＧＨｚ帯リンクである。
【００５７】
[0068]  ゲートウェイＡＰマルチバンド管理および中継モジュール３２０のいくつかの実施形態において、第１の種類のトラフィックを送信することは、低バーストのブロードキャストトラフィック、低バーストのマルチキャストトラフィック、および低バーストのユニキャストトラフィックのうちの１つまたは複数を送信することを含む。いくつかの実施形態において、第２の種類のトラフィックを送信することは、高バーストのユニキャストデータトラフィック、高バーストのブロードキャストデータトラフィック、低レイテンシのユニキャストトラフィック、および低レイテンシのブロードキャストトラフィックのうちの１つまたは複数を送信することを含む。
【００５８】
[0069]  いくつかの実施形態において、ゲートウェイＡＰマルチバンド管理および中継モジュール３２０は、低スループットのトラフィックを長距離用の無線リンクによって局から直接受信し、高スループットのトラフィックを少なくとも１つのリレーＡＰを介して少なくとも１つの短距離用の無線リンクによって局から受信するように構成される。
【００５９】
[0070]  図３Ｂは、種々の実施形態によるワイヤレス通信において使用するためのデバイス１０５−ｅを説明するブロック図３００−ａを示している。いくつかの実施形態において、デバイス１０５−ｅは、図３Ａのデバイス１０５−ｄの例であり得る。デバイス１０５−ｅは、プロセッサでもあり得る。デバイス１０５−ｅは、受信機モジュール３１０−ａ、ゲートウェイＡＰマルチバンド管理および中継モジュール３２０−ａ、および／または送信機モジュール３３０−ａを含み得る。これらの構成要素の各々は、互いに通信し得る。
【００６０】
[0071]  デバイス１０５−ｅの構成要素は、個別にまたはまとめて、適用可能な機能の一部またはすべてをハードウェアにて実行するように構成された１つまたは複数のＡＳＩＣによってもたらされ得る。あるいは、機能は、１つまたは複数の集積回路上の１つまたは複数の他の処理ユニット（または、コア）によって実行され得る。他の実施形態においては、技術的に公知の任意の方法でプログラムされ得る他の種類の集積回路が使用され得る（例えば、構造化／プラットフォームＡＳＩＣ、ＦＰＧＡ、および他のセミカスタムＩＣ）。各ユニットの機能は、メモリ内に組み込まれた、１つまたは複数の汎用または特定用途向けのプロセッサによって実行されるようにフォーマットされたインストラクションによって、全体または一部が実現されてもよい。
【００６１】
[0072]  受信機モジュール３１０−ａは、図３Ａの受信機モジュール３１０の例であり得る。受信機モジュール３１０−ａは、ｓｕｂ−１Ｇ帯、２Ｇ帯、および５Ｇ帯（または、他のＷｉ−Ｆｉ帯域）からの異なる帯域における伝送を受信するように構成され得る帯域１モジュール３１２および帯域２モジュール３１４を含み得る。送信機モジュール３３０−ａは、図３Ａの送信機モジュール３３０の例であり得る。送信機モジュール３１０−ａは、ｓｕｂ−１Ｇ帯、２Ｇ帯、および５Ｇ帯（または、他のＷｉ−Ｆｉ帯域）からの異なる帯域において送信を行うように構成され得る帯域１モジュール３３２および帯域２モジュール３３４を含み得る。
【００６２】
[0073]  ゲートウェイＡＰマルチバンド管理および中継モジュール３２０−ａは、図３ＡのゲートウェイＡＰマルチバンド管理および中継モジュール３２０の例であり得、設定モジュール３２１、直接トラフィックモジュール３２３、中継トラフィックモジュール３２５、バッファデータモジュール３２７、およびＲＴＳ／ＣＴＳモジュール３２９を含み得る。これらの構成要素の各々は、互いに通信し得る。
【００６３】
[0074]  設定モジュール３２１は、ワイヤレス中継ネットワークにおけるマルチバンド動作のためのデバイス１０５−ｅにおけるパラメータならびに／あるいはワイヤレス中継ネットワークにおけるマルチバンド動作のための他のデバイスによって使用され得るパラメータの設定に関連して少なくとも図１、２Ａ、２Ｂ、および／または２Ｃに関して説明した態様を取り扱い得る。直接トラフィックモジュール３２３は、局（例えば、局１１５−ａ）との直接通信に関連して少なくとも図１、２Ａ、２Ｂ、および／または２Ｃに関して説明した態様を取り扱い得る。中継トラフィックモジュール３２５は、少なくとも１つのリレーＡＰ（例えば、リレーＡＰ  １０５−ｂ）を介した局（例えば、局１１５−ａ）との間接的な通信に関連して少なくとも図１、２Ａ、２Ｂ、および／または２Ｃに関して説明した態様を取り扱い得る。バッファデータモジュール３２７は、局（例えば、局１１５−ａ）のためのバッファデータの分析、特定、および／または指示に関連して少なくとも図１、２Ａ、２Ｂ、および／または２Ｃに関して説明した態様を取り扱い得る。ＲＴＳ／ＣＴＳモジュール３２９は、長距離用のリンクによるＣＴＳ信号、ＲＴＳ信号、および／またはＣＴＳ−ｔｏ−ｓｅｌｆ信号の送信に関連して少なくとも図１、２Ａ、２Ｂ、および／または２Ｃに関して説明した態様を取り扱い得る。
【００６４】
[0075]  図４Ａは、種々の実施形態によるワイヤレス通信において使用するためのデバイス１１５−ｂを説明するブロック図４００を示している。いくつかの実施形態において、デバイス１１５−ｂは、図１、２Ａ、２Ｂ、および／または２Ｃを参照して説明した局１１５のうちの１つの局の１つまたは複数の態様の例であり得る。デバイス１１５−ｂは、プロセッサでもあり得る。デバイス１１５−ｂは、受信機モジュール４１０、ＳＴＡマルチバンド管理および中継モジュール４２０、および／または送信機モジュール４３０を含み得る。これらの構成要素の各々は、互いに通信し得る。
【００６５】
[0076]  デバイス１１５−ｂの構成要素は、個別にまたはまとめて、適用可能な機能の一部またはすべてをハードウェアにて実行するように構成された１つまたは複数のＡＳＩＣによってもたらされ得る。あるいは、機能は、１つまたは複数の集積回路上の１つまたは複数の他の処理ユニット（または、コア）によって実行され得る。他の実施形態においては、技術的に公知の任意の方法でプログラムされ得る他の種類の集積回路が使用され得る（例えば、構造化／プラットフォームＡＳＩＣ、ＦＰＧＡ、および他のセミカスタムＩＣ）。各ユニットの機能は、メモリ内に組み込まれた、１つまたは複数の汎用または特定用途向けのプロセッサによって実行されるようにフォーマットされたインストラクションによって、全体または一部が実現されてもよい。
【００６６】
[0077]  いくつかの実施形態において、受信機モジュール４１０は、ｓｕｂ−１Ｇ帯、２Ｇ帯、および／または５Ｇ帯（あるいは、他のＷｉ−Ｆｉ帯域）における送信を受信するように動作することができる無線周波数（ＲＦ）受信機など、ＲＦ受信機であり得、あるいはＲＦ受信機を含み得る。ＲＦ受信機は、異なる帯域用の別々の受信機を含み得る。受信機モジュール４１０は、図１、２Ａ、２Ｂ、および／または２Ｃを参照して説明したＷＬＡＮまたはＷｉ−Ｆｉネットワークの１つまたは複数の通信リンクなど、ワイヤレス通信システムの１つまたは複数の通信リンクを介して種々の種類のデータおよび／または制御信号（すなわち、伝送）を受信するために使用され得る。
【００６７】
[0078]  いくつかの実施形態において、送信機モジュール４３０は、ｓｕｂ−１Ｇ帯、２Ｇ帯、および／または５Ｇ帯（あるいは、他のＷｉ−Ｆｉ帯域）において送信を行うように動作することができるＲＦ送信機など、ＲＦ送信機であり得、あるいはＲＦ送信機を含み得る。ＲＦ送信機は、異なる帯域用の別々の送信機を含み得る。送信機モジュール４３０は、図１、２Ａ、２Ｂ、および／または２Ｃを参照して説明したＷＬＡＮまたはＷｉ−Ｆｉネットワークの１つまたは複数の通信リンクなど、ワイヤレス通信システムの１つまたは複数の通信リンクを介して種々の種類のデータおよび／または制御信号（すなわち、伝送）を送信するために使用され得る。
【００６８】
[0079]  いくつかの実施形態において、ＳＴＡマルチバンド管理および中継モジュール４２０は、第１の種類のトラフィックを局（例えば、局１１５−ａ）においてゲートウェイＡＰ（例えば、ゲートウェイＡＰ  １０５−ａ）から直接受信し、第２の種類のトラフィックを局において少なくとも１つのリレーＡＰ（例えば、リレーＡＰ  １０５−ｂ）を介してゲートウェイＡＰから受信するように構成され、ここで局によって受信されるビーコン信号は、第１の種類のトラフィックの一部として受信される。これらの受信は、ゲートウェイＡＰおよび少なくとも１つのリレーＡＰと同時の通信リンクを有することによって行われ得る。
【００６９】
[0080]  ＳＴＡマルチバンド管理および中継モジュール４２０のいくつかの実施形態において、第１の種類のトラフィックの受信は、低スループットトラフィックの受信を含み、第２の種類のトラフィックの受信は、高スループットトラフィックの受信を含む。いくつかの実施形態において、第１の種類のトラフィックの受信は、長距離用の無線リンクによる第１の種類のトラフィックの受信を含み、ここで長距離用の無線リンクは、２ＧＨｚ帯リンクまたはｓｕｂ−１ＧＨｚ帯リンクである。いくつかの実施形態において、第２の種類のトラフィックの受信は、少なくとも１つの短距離用の無線リンクによる第２の種類の受信を含み、ここで少なくとも１つの短距離用の無線リンクは、５ＧＨｚ帯リンクである。
【００７０】
[0081]  ＳＴＡマルチバンド管理および中継モジュール４２０のいくつかの実施形態において、第１の種類のトラフィックの受信は、低バーストのブロードキャストトラフィック、低バーストのマルチキャストトラフィック、および低バーストのユニキャストトラフィックのうちの１つまたは複数の受信を含む。いくつかの実施形態において、第２の種類のトラフィックの受信は、高バーストのユニキャストデータトラフィック、高バーストのブロードキャストデータトラフィック、低レイテンシのユニキャストトラフィック、および低レイテンシのブロードキャストトラフィックのうちの１つまたは複数の受信を含む。
【００７１】
[0082]  いくつかの実施形態において、ＳＴＡマルチバンド管理および中継モジュール４２０は、低スループットのトラフィックを長距離用の無線リンクによってゲートウェイＡＰへと直接送信し、高スループットのトラフィックを少なくとも１つのリレーＡＰを介して少なくとも１つの短距離用の無線リンクによってゲートウェイＡＰへと送信するように構成される。
【００７２】
[0083]  図４Ｂは、種々の実施形態によるワイヤレス通信において使用するためのデバイス１１５−ｃを説明するブロック図４００−ａを示している。いくつかの実施形態において、デバイス１１５−ｃは、図４Ａのデバイス１１５−ｂの例であり得る。デバイス１１５−ｃは、プロセッサでもあり得る。デバイス１１５−ｃは、受信機モジュール４１０−ａ、ＳＴＡマルチバンド管理および中継モジュール４２０−ａ、および／または送信機モジュール４３０−ａを含み得る。これらの構成要素の各々は、互いに通信し得る。
【００７３】
[0084]  デバイス１１５−ｃの構成要素は、個別にまたはまとめて、適用可能な機能の一部またはすべてをハードウェアにて実行するように構成された１つまたは複数のＡＳＩＣによってもたらされ得る。あるいは、機能は、１つまたは複数の集積回路上の１つまたは複数の他の処理ユニット（または、コア）によって実行され得る。他の実施形態においては、技術的に公知の任意の方法でプログラムされ得る他の種類の集積回路が使用され得る（例えば、構造化／プラットフォームＡＳＩＣ、ＦＰＧＡ、および他のセミカスタムＩＣ）。各ユニットの機能は、また、メモリ内に組み込まれた、１つまたは複数の汎用または特定用途向けのプロセッサによって実行されるようにフォーマットされたインストラクションによって、全体または一部が実現されてもよい。
【００７４】
[0085]  受信機モジュール４１０−ａは、図４Ａの受信機モジュール４１０の例であり得る。受信機モジュール４１０−ａは、ｓｕｂ−１Ｇ帯、２Ｇ帯、および５Ｇ帯（または、他のＷｉ−Ｆｉ帯域）からの異なる帯域における伝送を受信するように構成され得る帯域１モジュール４１２および帯域２モジュール４１４を含み得る。送信機モジュール４３０−ａは、図４Ａの送信機モジュール４３０の例であり得る。送信機モジュール４１０−ａは、ｓｕｂ−１Ｇ帯、２Ｇ帯、および５Ｇ帯（または、他のＷｉ−Ｆｉ帯域）からの異なる帯域において送信を行うように構成され得る帯域１モジュール４３２および帯域２モジュール４３４を含み得る。
【００７５】
[0086]  ＳＴＡマルチバンド管理および中継モジュール４２０−ａは、図４ＡのＳＴＡマルチバンド管理および中継モジュール４２０の例であり得、設定モジュール４２１、直接トラフィックモジュール４２３、中継トラフィックモジュール４２５、電力節約モジュール４２７、およびＲＴＳ／ＣＴＳモジュール４２９を含み得る。これらの構成要素の各々は、互いに通信し得る。
【００７６】
[0087]  設定モジュール４２１は、ワイヤレス中継ネットワークにおけるマルチバンド動作のためのデバイス１１５−ｃにおけるパラメータならびに／あるいはワイヤレス中継ネットワークにおけるマルチバンド動作のための他のデバイスによって使用され得るパラメータの設定に関連した少なくとも図１、２Ａ、２Ｂ、および／または２Ｃに関して説明した態様を取り扱い得る。直接トラフィックモジュール４２３は、ゲートウェイＡＰ（例えば、ゲートウェイＡＰ  １０５−ａ）との直接通信に関連して少なくとも図１、２Ａ、２Ｂ、および／または２Ｃに関して説明した態様を取り扱い得る。中継トラフィックモジュール４２５は、少なくとも１つのリレーＡＰ（例えば、リレーＡＰ  １０５−ｂ）を介したゲートウェイＡＰ（例えば、ゲートウェイＡＰ  １０５−ａ）との間接的な通信に関連して少なくとも図１、２Ａ、２Ｂ、および／または２Ｃに関して説明した態様を取り扱い得る。電力節約モジュール４２７は、局（例えば、局１１５−ａ）における電力節約モードまたはスリープモードに関連して少なくとも図１、２Ａ、２Ｂ、および／または２Ｃに関して説明した態様を取り扱い得る。ＲＴＳ／ＣＴＳモジュール４２９は、長距離用のリンクによるＣＴＳ信号、ＲＴＳ信号、および／またはＣＴＳ−ｔｏ−ｓｅｌｆ信号の送信に関連して少なくとも図１、２Ａ、２Ｂ、および／または２Ｃに関して説明した態様を取り扱い得る。
【００７７】
[0088]  図５Ａは、種々の実施形態によるワイヤレス通信において使用するためのデバイス１０５−ｆを説明するブロック図５００を示している。いくつかの実施形態において、デバイス１０５−ｆは、図２Ａ、２Ｂ、および／または２Ｃを参照して説明したリレーＡＰのうちの１つのリレーＡＰの１つまたは複数の態様の例であり得る。デバイス１０５−ｆは、プロセッサでもあり得る。デバイス１０５−ｆは、受信機モジュール５１０、リレーＡＰマルチバンド管理および中継モジュール５２０、および／または送信機モジュール５３０を含み得る。これらの構成要素の各々は、互いに通信し得る。
【００７８】
[0089]  デバイス１０５−ｆの構成要素は、個別にまたはまとめて、適用可能な機能の一部またはすべてをハードウェアにて実行するように構成された１つまたは複数のＡＳＩＣによってもたらされ得る。あるいは、機能は、１つまたは複数の集積回路上の１つまたは複数の他の処理ユニット（または、コア）によって実行され得る。他の実施形態においては、技術的に公知の任意の方法でプログラムされ得る他の種類の集積回路が使用され得る（例えば、構造化／プラットフォームＡＳＩＣ、ＦＰＧＡ、および他のセミカスタムＩＣ）。各ユニットの機能は、メモリ内に組み込まれた、１つまたは複数の汎用または特定用途向けのプロセッサによって実行されるようにフォーマットされたインストラクションによって、全体または一部が実現されてもよい。
【００７９】
[0090]  いくつかの実施形態において、受信機モジュール５１０は、５Ｇ帯（あるいは、短距離用のリンクに使用される何らかの他のＷｉ−Ｆｉ帯域）における伝送を受信するように動作することができる無線周波数（ＲＦ）受信機など、ＲＦ受信機であり得、あるいはＲＦ受信機を含み得る。いくつかの事例において、ＲＦ受信機は、マルチプルな受信機を含み得る。受信機モジュール５１０は、図１、２Ａ、２Ｂ、および／または２Ｃを参照して説明したＷＬＡＮまたはＷｉ−Ｆｉネットワークの１つまたは複数の通信リンクなどのワイヤレス通信システムの１つまたは複数の通信リンクを介して種々の種類のデータおよび／または制御信号（すなわち、伝送）を受信するために使用され得る。
【００８０】
[0091]  いくつかの実施形態において、送信機モジュール５３０は、５Ｇ帯（あるいは、短距離用のリンクに使用される何らかの他のＷｉ−Ｆｉ帯域）において送信を行うように動作することができるＲＦ送信機など、ＲＦ送信機であり得、あるいはＲＦ送信機を含み得る。いくつかの事例において、ＲＦ送信機は、マルチプルな送信機を含み得る。送信機モジュール５３０は、図１、２Ａ、２Ｂ、および／または２Ｃを参照して説明したＷＬＡＮまたはＷｉ−Ｆｉネットワークの１つまたは複数の通信リンクなどのワイヤレス通信システムの１つまたは複数の通信リンクを介して種々の種類のデータおよび／または制御信号（すなわち、伝送）を送信するために使用され得る。
【００８１】
[0092]  いくつかの実施形態において、リレーＡＰマルチバンド管理および中継モジュール５２０は、例えば図１、２Ａ、２Ｂ、および／または２ＣのネットワークなどのＷＬＡＮまたはＷｉ−ＦｉネットワークにおけるゲートウェイＡＰ（例えば、ゲートウェイＡＰ  １０５−ｂ）から局（例えば、局１１５−ａ）へのトラフィックおよび／または他の情報の中継に関して本明細書において説明される種々の態様を実行するように構成される。
【００８２】
[0093]  図５Ｂは、種々の実施形態によるワイヤレス通信において使用するためのデバイス１０５−ｇを説明するブロック図５００−ａを示している。いくつかの実施形態において、デバイス１０５−ｇは、図５Ａのデバイス１０５−ｆの例であり得る。デバイス１０５−ｇは、プロセッサでもあり得る。デバイス１０５−ｇは、受信機モジュール５１０−ａ、リレーＡＰマルチバンド管理および中継モジュール５２０−ａ、および／または送信機モジュール５３０−ａを含み得る。これらの構成要素の各々は、互いに通信し得る。
【００８３】
[0094]  デバイス１０５−ｇの構成要素は、個別にまたはまとめて、適用可能な機能の一部またはすべてをハードウェアにて実行するように構成された１つまたは複数のＡＳＩＣによってもたらされ得る。あるいは、機能は、１つまたは複数の集積回路上の１つまたは複数の他の処理ユニット（または、コア）によって実行され得る。他の実施形態においては、技術的に公知の任意の方法でプログラムされ得る他の種類の集積回路が使用され得る（例えば、構造化／プラットフォームＡＳＩＣ、ＦＰＧＡ、および他のセミカスタムＩＣ）。各ユニットの機能は、メモリ内に組み込まれた、１つまたは複数の汎用または特定用途向けのプロセッサによって実行されるようにフォーマットされたインストラクションによって、全体または一部が実現されてもよい。
【００８４】
[0095]  受信機モジュール５１０−ａは、図５Ａの受信機モジュール５１０の例であり得る。受信機モジュール５１０−ａは、ｓｕｂ−１Ｇ帯、２Ｇ帯、および５Ｇ帯（または、他のＷｉ−Ｆｉ帯域）からの異なる帯域における伝送を受信するように構成され得る帯域１モジュール５１２およびオプションで帯域２モジュール５１４を含み得る。帯域２モジュール５１４は、リレーＡＰがゲートウェイＡＰとの通信のための自身の長距離用のリンクを有する場合に使用され得る。送信機モジュール５３０−ａは、図５Ａの送信機モジュール５３０の例であり得る。送信機モジュール５１０−ａは、ｓｕｂ−１Ｇ帯、２Ｇ帯、および５Ｇ帯（または、他のＷｉ−Ｆｉ帯域）からの異なる帯域において送信を行うように構成され得る帯域１モジュール５３２およびオプションで帯域２モジュール５３４を含み得る。帯域２モジュール５３４は、リレーＡＰがゲートウェイＡＰとの通信のための自身の長距離用のリンクを有する場合に使用され得る。
【００８５】
[0096]  リレーＡＰマルチバンド管理および中継モジュール５２０−ａは、図５ＡのリレーＡＰマルチバンド管理および中継モジュール５２０の例であり得、設定モジュール５２１、ゲートウェイＡＰトラフィックモジュール５２３、局（ＳＴＡ）トラフィックモジュール５２５、および電力節約モジュール５２７を含み得る。これらの構成要素の各々は、互いに通信し得る。
【００８６】
[0097]  設定モジュール５２１は、ワイヤレス中継ネットワークにおけるマルチバンド動作のためのデバイス１０５−ｇにおけるパラメータ、ならびに／あるいはワイヤレス中継ネットワークにおけるマルチバンド動作のための他のデバイスによって使用され得るパラメータの設定に関連した、少なくとも図１、２Ａ、２Ｂ、および／または２Ｃに関して説明した態様を取り扱い得る。ゲートウェイＡＰトラフィックモジュール５２３は、リレーＡＰ（例えば、リレーＡＰ  １０５−ｂ）とゲートウェイＡＰ（例えば、ゲートウェイＡＰ  １０５−ａ）との間の通信に関連して少なくとも図１、２Ａ、２Ｂ、および／または２Ｃに関して説明した態様を取り扱い得る。ＳＴＡトラフィックモジュール５２５は、リレーＡＰ（例えば、リレーＡＰ  １０５−ｂ）と局（例えば、局１１５−ａ）との間の通信に関連して少なくとも図１、２Ａ、２Ｂ、および／または２Ｃに関して説明した態様を取り扱い得る。電力節約モジュール５２７は、リレーＡＰ（例えば、リレーＡＰ  １０５−ｂ）における電力節約モードまたはスリープモードに関連して少なくとも図１、２Ａ、２Ｂ、および／または２Ｃに関して説明した態様を取り扱い得る。
【００８７】
[0098]  図６は、ワイヤレス通信用に構成され、より詳しくはワイヤレス中継ネットワークのマルチバンド管理に使用されるように構成されたゲートウェイＡＰ  １０５−ｈを説明する図６００を示している。いくつかの実施形態において、ゲートウェイＡＰ  １０５−ｈは、図１、２Ａ、２Ｂ、２Ｃ、３Ａ、および／または３Ｂを参照して説明したゲートウェイＡＰまたはデバイス１０５のうちの１つまたは複数のゲートウェイＡＰまたはデバイスの例であり得る。ゲートウェイＡＰ  １０５−ｈは、図１、２Ａ、２Ｂ、２Ｃ、３Ａ、および／または３Ｂに関して上述した特徴および機能の少なくとも一部を実行するように構成され得る。ゲートウェイＡＰ  １０５−ｈは、プロセッサモジュール６１０、メモリモジュール６２０、少なくとも１つのトランシーバモジュール（トランシーバモジュール６５０によって代表されている）、少なくとも１つのアンテナ（アンテナ６６０によって代表されている）、ならびにゲートウェイＡＰマルチバンド管理および中継モジュール３２０−ｂを含み得る。ゲートウェイＡＰマルチバンド管理および中継モジュール３２０−ｂは、図３Ａおよび３ＢのそれぞれのゲートウェイＡＰマルチバンド管理および中継モジュール３２０および３２０−ａの例であり得る。ゲートウェイＡＰ  １０５−ｈは、ネットワークデバイス通信モジュール６８０およびネットワーク通信モジュール６７０の一方または両方をさらに含み得る。これらの構成要素の各々は、１つまたは複数のバス６１５によって直接的または間接的に互いに通信し得る。
【００８８】
[0099]  メモリモジュール６２０は、ＲＡＭまたはＲＯＭを含み得る。メモリモジュール６２０は、実行されたときにゲートウェイＡＰにおけるワイヤレス中継ネットワークのマルチバンド管理に関して本明細書において説明される種々の機能をプロセッサモジュール６１０に実行させるように構成されたインストラクションを含んでいるコンピュータにとって読み取り可能かつコンピュータによって実行可能なソフトウェア（ＳＷ）コード６２５も格納し得る。あるいは、ソフトウェアコード６２５は、プロセッサモジュール６１０による直接の実行が可能でなくてもよく、例えばコンパイルされて実行されたときに本明細書に記載の種々の機能をゲートウェイＡＰ  １０５−ｈに実行させるように構成されてよい。
【００８９】
[0100]  プロセッサモジュール６１０は、例えばＣＰＵ、マイクロコントローラ、ＡＳＩＣ、などのインテリジェントなハードウェアデバイスを含み得る。プロセッサモジュール６１０は、トランシーバモジュール６５０、ネットワークデバイス通信モジュール６８０、および／またはネットワーク通信モジュール６７０を介して受信された情報を処理し得る。プロセッサモジュール６１０は、アンテナ６６０による送信のためにトランシーバモジュール６５０へと送られ、１つまたは複数の他のネットワークデバイス１０５−ｉおよび１０５−ｊへの送信のためにネットワークデバイス通信モジュール６８０へと送られ、さらには／あるいは図２Ａ〜２Ｃのネットワーク２０５の例であり得るネットワーク２０５−ａへの送信のためにネットワーク通信モジュール６７０へと送られる情報を、さらに処理し得る。プロセッサモジュール６１０は、単独またはゲートウェイＡＰマルチバンド管理および中継モジュール３２０−ｂに関連して、ゲートウェイＡＰにおけるワイヤレス中継ネットワークのマルチバンド管理のための種々の態様を取り扱い得る。
【００９０】
[0101]  トランシーバモジュール６５０は、パケットを変調して、変調後のパケットを送信のためにアンテナ６６０へと提供するとともに、アンテナ６６０から受信されるパケットの復調を行うように構成されたモデムを含み得る。トランシーバモジュール６５０は、１つまたは複数の送信機モジュールおよび１つまたは複数の別個の受信機モジュールとして実現され得る。トランシーバモジュール６５０は、ｓｕｂ−１Ｇ帯、２Ｇ帯、および５Ｇ帯（または、他のＷｉ−Ｆｉ帯域）からの異なる帯域において送信／受信を行うように構成され得る帯域１モジュール６５２および帯域２モジュール６５４を含み得る。トランシーバモジュール６５０は、例えば図１、２Ａ、２Ｂ、２Ｃ、４Ａ、および／または４Ｂを参照して説明した局またはデバイス１１５のうちの１つ以上、ならびに／あるいは図２Ａ、２Ｂ、２Ｃ、５Ａ、および／または５Ｂを参照して説明したリレーＡＰまたはデバイス１０５のうちの１つ以上と、アンテナ６６０を介して双方向に通信するように構成され得る。ゲートウェイＡＰ  １０５−ｈは、典型的には、マルチプルなアンテナ６６０（例えば、アンテナアレイ）を含み得る。
【００９１】
[0102]  図６のアーキテクチャによれば、ゲートウェイＡＰ  １０５−ｈは、通信管理モジュール６４０をさらに含み得る。通信管理モジュール６４０は、他のＡＰおよび／またはデバイスとの通信を管理し得る。通信管理モジュール６４０は、１つまたは複数のバス６１５を介してゲートウェイＡＰ  １０５−ｈの他の構成要素の一部またはすべてと通信し得る。あるいは、通信管理モジュール６４０の機能は、トランシーバモジュール６５０の構成要素として、コンピュータプログラム製品として、および／またはプロセッサモジュール６１０の１つまたは複数のコントローラ要素として実現され得る。
【００９２】
[0103]  ゲートウェイＡＰマルチバンド管理および中継モジュール３２０−ｂは、ワイヤレス中継ネットワークにおけるマルチプルな帯域による同時通信におけるゲートウェイＡＰの使用に関して図１〜５Ｂを参照して説明した機能または態様の一部またはすべてを実行し、さらには／あるいは制御するように構成され得る。ゲートウェイＡＰマルチバンド管理および中継モジュール３２０−ｂまたはその一部は、プロセッサを含み得る。さらに、ゲートウェイＡＰマルチバンド管理および中継モジュール３２０−ｂの機能の一部またはすべては、プロセッサモジュール６１０によって実行されてよく、さらには／あるいはプロセッサモジュール６１０に関連して実行され得る。
【００９３】
[0104]  図７は、ワイヤレス通信用に構成され、より詳しくはワイヤレス中継ネットワークのマルチバンド管理に使用されるように構成された局１１５−ｄを説明する図７００を示している。いくつかの実施形態において、局１１５−ｄは、図１、２Ａ、２Ｂ、２Ｃ、４Ａ、および／または４Ｂを参照して説明した局またはデバイス１０５のうちの１つまたは複数の局またはデバイスの例であり得る。局１１５−ｄは、図１、２Ａ、２Ｂ、２Ｃ、４Ａ、および／または４Ｂに関して上述した特徴および機能の少なくとも一部を実行するように構成され得る。局１１５−ｄは、プロセッサモジュール７１０、メモリモジュール７２０、少なくとも１つのトランシーバモジュール（トランシーバモジュール７５０によって代表されている）、少なくとも１つのアンテナ（アンテナ７６０によって代表されている）、ならびにＳＴＡマルチバンド管理および中継モジュール４２０−ｂを含み得る。ＳＴＡマルチバンド管理および中継モジュール４２０−ｂは、図４Ａおよび４ＢのそれぞれのＳＴＡマルチバンド管理および中継モジュール４２０および４２０−ａの例であり得る。これらの構成要素の各々は、１つまたは複数のバス７１５によって直接的または間接的に互いに通信し得る。
【００９４】
[0105]  メモリモジュール７２０は、ＲＡＭまたはＲＯＭを含み得る。メモリモジュール７２０は、実行されたときに局におけるワイヤレス中継ネットワークのマルチバンド管理に関して本明細書において説明される種々の機能をプロセッサモジュール７１０に実行させるように構成されたインストラクションを含んでいるコンピュータにとって読み取り可能かつコンピュータによって実行可能なソフトウェア（ＳＷ）コード７２５も格納し得る。あるいは、ソフトウェアコード７２５は、プロセッサモジュール７１０による直接の実行が可能でなくてもよく、例えばコンパイルされて実行されたときに本明細書に記載の種々の機能を局１１５−ｄに実行させるように構成されてよい。
【００９５】
[0106]  プロセッサモジュール７１０は、例えばＣＰＵ、マイクロコントローラ、ＡＳＩＣ、などのインテリジェントなハードウェアデバイスを含み得る。プロセッサモジュール７１０は、トランシーバモジュール７５０を通じて受信された情報を処理し得る。プロセッサモジュール７１０は、アンテナ７６０を介した送信のためにトランシーバモジュール７５０へと送られる情報も処理し得る。プロセッサモジュール７１０は、単独またはＳＴＡマルチバンド管理および中継モジュール４２０−ｂに関連して、局におけるワイヤレス中継ネットワークのマルチバンド管理のための種々の態様を取り扱い得る。
【００９６】
[0107]  トランシーバモジュール７５０は、パケットを変調して、変調後のパケットを送信のためにアンテナ７６０へと提供するとともに、アンテナ７６０から受信されるパケットの復調を行うように構成されたモデムを含み得る。トランシーバモジュール７５０は、１つまたは複数の送信機モジュールおよび１つまたは複数の別個の受信機モジュールとして実現され得る。トランシーバモジュール７５０は、ｓｕｂ−１Ｇ帯、２Ｇ帯、および５Ｇ帯（または、他のＷｉ−Ｆｉ帯域）からの異なる帯域において送信／受信を行うように構成され得る帯域１モジュール７５２および帯域２モジュール７５４を含み得る。トランシーバモジュール７５０は、アンテナ７６０を介して図１、２Ａ、２Ｂ、２Ｃ、３Ａ、３Ｂ、５Ａ、および／または５Ｂを参照して説明したＡＰまたはデバイス１０５のうちの１つまたは複数と双方向に通信するように構成され得る。局１１５−ｄは、典型的には、マルチプルなアンテナ７６０（例えば、アンテナアレイ）を含み得る。
【００９７】
[0108]  図７のアーキテクチャによれば、局１１５−ｄは、通信管理モジュール７４０をさらに含み得る。通信管理モジュール７４０は、ゲートウェイＡＰおよび／またはリレーＡＰを含むＡＰとの通信を管理し得る。通信管理モジュール７４０は、１つまたは複数のバス７１５を介して局１１５−ｄの他の構成要素の一部またはすべてと通信し得る。あるいは、通信管理モジュール７４０の機能は、トランシーバモジュール７５０の構成要素として、コンピュータプログラム製品として、および／またはプロセッサモジュール７１０の１つまたは複数のコントローラ要素として実現され得る。
【００９８】
[0109]  ＳＴＡマルチバンド管理および中継モジュール４２０−ｂは、ワイヤレス中継ネットワークにおけるマルチプルな帯域による同時通信における局の使用に関して図１〜５Ｂを参照して説明した機能または態様の一部またはすべてを実行し、さらには／あるいは制御するように構成され得る。ＳＴＡマルチバンド管理および中継モジュール４２０−ｂまたはその一部は、プロセッサを含み得る。さらに、ＳＴＡマルチバンド管理および中継モジュール４２０−ｂの機能の一部またはすべては、プロセッサモジュール７１０によって実行されてよく、さらには／あるいはプロセッサモジュール７１０に関連して実行され得る。
【００９９】
[0110]  図８は、ワイヤレス通信用に構成され、より詳しくはワイヤレス中継ネットワークのマルチバンド管理に使用されるように構成されたリレーＡＰ  １０５−ｋを説明する図８００を示している。いくつかの実施形態において、リレーＡＰ  １０５−ｋは、図１、２Ａ、２Ｂ、２Ｃ、３Ａ、３Ｂ、５Ａ、および／または５Ｂを参照して説明したＡＰまたはデバイス１０５のうちの１つまたは複数のＡＰまたはデバイスの例であり得る。他の実施形態において、リレーＡＰ  １０５−ｋは、やはり中継機能を提供するように構成された図１、２Ａ、２Ｂ、２Ｃ、４Ａ、および／または４Ｂを参照して説明した局またはデバイス１１５のうちの１つまたは複数の局またはデバイスの例であり得る。リレーＡＰ  １０５−ｋは、図１、２Ａ、２Ｂ、２Ｃ、５Ａ、および／または５Ｂに関して上述した特徴および機能の少なくとも一部を実行するように構成され得る。リレーＡＰ  １０５−ｋは、プロセッサモジュール８１０、メモリモジュール８２０、少なくとも１つのトランシーバモジュール（トランシーバモジュール８５０によって代表されている）、少なくとも１つのアンテナ（アンテナ８６０によって代表されている）、ならびにリレーＡＰマルチバンド管理および中継モジュール５２０−ｂを含み得る。リレーＡＰマルチバンド管理および中継モジュール５２０−ｂは、図５Ａおよび５ＢのそれぞれのリレーＡＰマルチバンド管理および中継モジュール５２０および５２０−ａの例であり得る。リレーＡＰ  １０５−ｋは、ネットワークデバイス通信モジュール８８０をさらに含み得る。これらの構成要素の各々は、１つまたは複数のバス８１５によって直接的または間接的に互いに通信し得る。
【０１００】
[0111]  メモリモジュール８２０は、ＲＡＭまたはＲＯＭを含み得る。メモリモジュール８２０は、実行されたときにリレーＡＰにおけるワイヤレス中継ネットワークのマルチバンド管理に関して本明細書において説明される種々の機能をプロセッサモジュール８１０に実行させるように構成されたインストラクションを含んでいるコンピュータにとって読み取り可能かつコンピュータによって実行可能なソフトウェア（ＳＷ）コード８２５も格納し得る。あるいは、ソフトウェアコード８２５は、プロセッサモジュール８１０による直接の実行が可能でなくてもよく、例えばコンパイルされて実行されたときに本明細書に記載の種々の機能をリレーＡＰ  １０５−ｋに実行させるように構成されてよい。
【０１０１】
[0112]  プロセッサモジュール８１０は、例えばＣＰＵ、マイクロコントローラ、ＡＳＩＣ、などのインテリジェントなハードウェアデバイスを含み得る。プロセッサモジュール８１０は、トランシーバモジュール８５０および／またはネットワークデバイス通信モジュール８８０を介して受信された情報を処理し得る。プロセッサモジュール８１０は、アンテナ８６０による送信のためにトランシーバモジュール８５０へと送られ、さらには／あるいは１つまたは複数の他のネットワークデバイス１０５−ｌおよび１０５−ｍへの送信のためにネットワークデバイス通信モジュール８８０へと送られる情報を、さらに処理し得る。プロセッサモジュール８１０は、単独またはリレーＡＰマルチバンド管理および中継モジュール５２０−ｂに関連して、リレーＡＰにおけるワイヤレス中継ネットワークのマルチバンド管理のための種々の態様を取り扱い得る。
【０１０２】
[0113]  トランシーバモジュール８５０は、パケットを変調して、変調後のパケットを送信のためにアンテナ８６０へと提供するとともに、アンテナ８６０から受信されるパケットの復調を行うように構成されたモデムを含み得る。トランシーバモジュール８５０は、１つまたは複数の送信機モジュールおよび１つまたは複数の別個の受信機モジュールとして実現され得る。トランシーバモジュール８５０は、ｓｕｂ−１Ｇ帯、２Ｇ帯、および５Ｇ帯（または、他のＷｉ−Ｆｉ帯域）からの異なる帯域において送信／受信を行うように構成され得る帯域１モジュール８５２およびオプションで帯域２モジュール８５４を含み得る。帯域２モジュール８５４は、リレーＡＰ  １０５−ｋがゲートウェイＡＰとの通信のための自身の長距離用のリンクを有する場合に使用され得る。トランシーバモジュール８５０は、例えば図１、２Ａ、２Ｂ、２Ｃ、４Ａ、および／または４Ｂを参照して説明した局またはデバイス１１５のうちの１つ以上、ならびに／あるいは図１、２Ａ、２Ｂ、２Ｃ、３Ａ、および／または３Ｂを参照して説明したゲートウェイＡＰまたはデバイス１０５のうちの１つ以上と、アンテナ８６０を介して双方向に通信するように構成され得る。リレーＡＰ  １０５−ｋは、典型的には、マルチプルなアンテナ６６０（例えば、アンテナアレイ）を含み得る。
【０１０３】
[0114]  図７のアーキテクチャによれば、リレーＡＰ  １０５−ｋは、通信管理モジュール８４０をさらに含み得る。通信管理モジュール８４０は、他のＡＰおよび／またはデバイスとの通信を管理し得る。通信管理モジュール８４０は、１つまたは複数のバス８１５を介してリレーＡＰ  １０５−ｋの他の構成要素の一部またはすべてと通信し得る。あるいは、通信管理モジュール８４０の機能は、トランシーバモジュール８５０の構成要素として、コンピュータプログラム製品として、および／またはプロセッサモジュール８１０の１つまたは複数のコントローラ要素として実現され得る。
【０１０４】
[0115]  リレーＡＰマルチバンド管理および中継モジュール５２０−ｂは、ワイヤレス中継ネットワークにおける同時通信におけるリレーＡＰの使用に関して図１〜５Ｂを参照して説明した機能または態様の一部またはすべてを実行し、さらには／あるいは制御するように構成され得る。リレーＡＰマルチバンド管理および中継モジュール５２０−ｂまたはその一部は、プロセッサを含み得る。さらに、リレーＡＰマルチバンド管理および中継モジュール５２０−ｂの機能の一部またはすべては、プロセッサモジュール５１０によって実行されてよく、さらには／あるいはプロセッサモジュール５１０に関連して実行され得る。
【０１０５】
[0116]  図９は、ワイヤレス通信のための方法９００の例を説明するフロー図である。分かりやすくするため、方法９００は、以下で、図１、２Ａ、２Ｂ、２Ｃ、３Ａ、３Ｂ、４Ａ、４Ｂ、５Ａ、５Ｂ、６、７、および／または８に示したＡＰ、局、およびデバイスのうちの１つを参照して説明される。一実施形態において、ゲートウェイＡＰのうちの１つが、後述される機能を実行すべくゲートウェイＡＰの機能要素を制御するために１組以上のコードを実行し得る。
【０１０６】
[0117]  ブロック９０５において、第１の種類のトラフィックが、ゲートウェイＡＰ（例えば、ゲートウェイＡＰ  １０５−ａ）から局（例えば、局１１５−ａ）へと直接送信され得、ここで局へと送信されるビーコン信号は、第１の種類のトラフィックの一部として送信される。
【０１０７】
[0118]  ブロック９１０において、第２の種類のトラフィックを、ゲートウェイＡＰから少なくとも１つのリレーＡＰ（例えば、リレーＡＰ  １０５−ｂ）を介して局へと送信され得る。
【０１０８】
[0119]  方法９００のいくつかの実施形態において、第１の種類のトラフィックを送信することは、低スループットトラフィックを送信することを含み、第２の種類のトラフィックを送信することは、高スループットトラフィックを送信することを含む。いくつかの実施形態において、第１の種類のトラフィックを送信することは、長距離用の無線リンクによる第１の種類のトラフィックを送信することを含む。長距離用の無線リンクは、２ＧＨｚ帯リンクまたはｓｕｂ−１ＧＨｚ帯リンクであり得る。いくつかの実施形態において、第２の種類のトラフィックを送信することは、少なくとも１つの短距離用の無線リンクによる第２の種類の送信を含む。少なくとも１つの短距離用の無線リンクは、５ＧＨｚ帯リンクであり得る。
【０１０９】
[0120]  方法９００のいくつかの実施形態において、第１の種類のトラフィックを送信することは、低バーストのブロードキャストトラフィック、低バーストのマルチキャストトラフィック、および低バーストのユニキャストトラフィックのうちの１つまたは複数の送信を含む。いくつかの実施形態において、第２の種類のトラフィックを送信することは、高バーストのユニキャストデータトラフィック、高バーストのブロードキャストデータトラフィック、低レイテンシのユニキャストトラフィック、および低レイテンシのブロードキャストトラフィックのうちの１つまたは複数の送信を含む。
【０１１０】
[0121]  方法９００のいくつかの実施形態において、本方法は、低スループットのトラフィックをゲートウェイＡＰにおいて長距離用の無線リンクによって局から直接受信すること、および高スループットのトラフィックをゲートウェイＡＰにおいて少なくとも１つのリレーＡＰを介して少なくとも１つの短距離用の無線リンクによって局から受信することを含む。
【０１１１】
[0122]  このようにして、方法９００は、ワイヤレス通信を提供し得る。方法９００が、１つの実施例にすぎず、方法９００の工程を、他の実施例が可能であるように再配置され得、あるいは他の方法で変更され得ることに、注意すべきである。
【０１１２】
[0123]  図１０は、ワイヤレス通信のための方法１０００の例を説明するフロー図である。分かりやすくするため、方法１０００は、以下で、図１、２Ａ、２Ｂ、２Ｃ、３Ａ、３Ｂ、４Ａ、４Ｂ、５Ａ、５Ｂ、６、７、および／または８に示したＡＰ、局、およびデバイスのうちの１つを参照して説明される。一実施形態において、ゲートウェイＡＰのうちの１つが、後述される機能を実行すべくゲートウェイＡＰの機能要素を制御するために１組以上のコードを実行し得る。
【０１１３】
[0124]  ブロック１００５において、トラフィックが、第１の種類のトラフィックまたは第２の種類のトラフィックとして特定され得る。
【０１１４】
[0125]  ブロック１０１０において、第１の種類のトラフィックとして特定されたトラフィックを、長距離用のリンク（例えば、通信リンク２２０）によって局（例えば、局１１５−ａ）へと直接送信され得、ここで局へと送信されるビーコン信号は、第１の種類のトラフィックの一部として送信される。
【０１１５】
[0126]  ブロック１０１５において、第２の種類のトラフィックとして特定されたトラフィックを、少なくとも１つのリレーＡＰ（例えば、リレーＡＰ  １０５−ｂ）を介して短距離用のリンク（例えば、通信リンク２３０、２３５）によって局へと送信され得る。
【０１１６】
[0127]  このようにして、方法１０００は、ワイヤレス通信を提供し得る。方法１０００が、１つの実施例にすぎず、方法１０００の工程を、他の実施例が可能であるように再配置され得、あるいは他の方法で変更され得ることに、注意すべきである。
【０１１７】
[0128]  図１１は、ワイヤレス通信のための方法１１００の例を説明するフロー図である。分かりやすくするため、方法１１００は、以下で、図１、２Ａ、２Ｂ、２Ｃ、３Ａ、３Ｂ、４Ａ、４Ｂ、５Ａ、５Ｂ、６、７、および／または８に示したＡＰ、局、およびデバイスのうちの１つを参照して説明される。一実施形態において、ゲートウェイＡＰのうちの１つが、後述される機能を実行すべくゲートウェイＡＰの機能要素を制御するために１組以上のコードを実行し得る。
【０１１８】
[0129]  ブロック１１０５において、電力節約モードにある局（例えば、局１１５−ａ）へと、局のためのバッファデータが存在する旨のインジケーションを送信され得、ここで、該インジケーション（例えば、ＴＩＭ）は、長距離用のリンク（例えば、通信リンク２２０）によって局へと直接送信され、局は、インジケーションに応答して電力節約モードから出る。
【０１１９】
[0130]  ブロック１１１０において、バッファデータが、第１の種類のデータまたは第２の種類のデータとして特定され得る。
【０１２０】
[0131]  バッファデータが第１の種類のトラフィックとして特定された場合、ブロック１１１５において、バッファデータは、長距離用のリンクによって局へと直接送信され得る。
【０１２１】
[0132]  バッファデータが第２の種類のトラフィックとして特定された場合、ブロック１１２０において、バッファデータは、少なくとも１つのリレーＡＰ（例えば、リレーＡＰ  １０５−ｂ）を介して短距離用のリンクによって局へと送信され得る。
【０１２２】
[0133]  このようにして、方法１１００は、ワイヤレス通信を提供し得る。方法１１００が、１つの実施例にすぎず、方法１１００の工程を、他の実施例が可能であるように再配置され得、あるいは他の方法で変更され得ることに、注意すべきである。
【０１２３】
[0134]  図１２は、ワイヤレス通信のための方法１２００の例を説明するフロー図である。分かりやすくするため、方法１２００は、以下で、図１、２Ａ、２Ｂ、２Ｃ、３Ａ、３Ｂ、４Ａ、４Ｂ、５Ａ、５Ｂ、６、７、および／または８に示したＡＰ、局、およびデバイスのうちの１つを参照して説明される。一実施形態において、局のうちの１つが、後述される機能を実行すべく局の機能要素を制御するために１組以上のコードを実行し得る。
【０１２４】
[0135]  ブロック１２０５において、第１の種類のトラフィックが、局（例えば、局１１５−ａ）においてゲートウェイＡＰ（例えば、ゲートウェイＡＰ  １０５−ａ）から直接受信され得、ここで、局によって受信されるビーコン信号は、第１の種類のトラフィックの一部として受信される。
【０１２５】
[0136]  ブロック１２１０において、第２の種類のトラフィックが、局においてゲートウェイＡＰから少なくとも１つのリレーＡＰ（例えば、リレーＡＰ  １０５−ｂ）を介して受信され得る。
【０１２６】
[0137]  方法１２００のいくつかの実施形態において、第１の種類のトラフィックの受信は、低スループットトラフィックの受信を含み、第２の種類のトラフィックの受信は、高スループットトラフィックの受信を含む。いくつかの実施形態において、第１の種類のトラフィックの受信は、長距離用の無線リンクによる第１の種類のトラフィックの受信を含む。長距離用の無線リンクは、２ＧＨｚ帯リンクまたはｓｕｂ−１ＧＨｚ帯リンクであり得る。いくつかの実施形態において、第２の種類のトラフィックの受信は、少なくとも１つの短距離用の無線リンクによる第２の種類のトラフィックの受信を含む。少なくとも１つの短距離用の無線リンクは、５ＧＨｚ帯リンクであり得る。
【０１２７】
[0138]  方法１２００のいくつかの実施形態において、第１の種類のトラフィックの受信は、低バーストのブロードキャストトラフィック、低バーストのマルチキャストトラフィック、および低バーストのユニキャストトラフィックのうちの１つまたは複数の受信を含む。いくつかの実施形態において、第２の種類のトラフィックの受信は、高バーストのユニキャストデータトラフィック、高バーストのブロードキャストデータトラフィック、低レイテンシのユニキャストトラフィック、および低レイテンシのブロードキャストトラフィックのうちの１つまたは複数の受信を含む。
【０１２８】
[0139]  方法１２００のいくつかの実施形態において、本方法は、低スループットのトラフィックを局からゲートウェイＡＰへと長距離用の無線リンクによって直接送信すること、および高スループットのトラフィックを局からゲートウェイＡＰへと少なくとも１つのリレーＡＰを介して少なくとも１つの短距離用の無線リンクによって送信することを含む。
【０１２９】
[0140]  このようにして、方法１２００は、ワイヤレス通信を提供し得る。方法１２００が、１つの実施例にすぎず、方法９００の工程を、他の実施例が可能であるように再配置され得、あるいは他の方法で変更され得ることに、注意すべきである。
【０１３０】
[0141]  図１３は、ワイヤレス通信のための方法１３００の例を説明するフロー図である。分かりやすくするため、方法１３００は、以下で、図１、２Ａ、２Ｂ、２Ｃ、３Ａ、３Ｂ、４Ａ、４Ｂ、５Ａ、５Ｂ、６、７、および／または８に示したＡＰ、局、およびデバイスのうちの１つを参照して説明される。一実施形態において、局のうちの１つが、後述される機能を実行すべく局の機能要素を制御するために１組以上のコードを実行し得る。
【０１３１】
[0142]  ブロック１３０５において、トラフィックが、第１の種類のトラフィックまたは第２の種類のトラフィックとして特定され得る。
【０１３２】
[0143]  ブロック１３１０において、第１の種類のトラフィックとして特定されたトラフィックが、長距離用のリンク（例えば、通信リンク２２０）によってゲートウェイＡＰ（例えば、ゲートウェイＡＰ  １０５−ａ）へと直接送信され得、ここでゲートウェイＡＰから受信されるビーコン信号は、長距離用のリンクによってゲートウェイＡＰから直接受信される。
【０１３３】
[0144]  ブロック１３１５において、第２の種類のトラフィックとして特定されたトラフィックが、少なくとも１つのリレーＡＰ（例えば、リレーＡＰ  １０５−ｂ）を介して短距離用のリンク（例えば、通信リンク２３０、２３５）によってゲートウェイＡＰへと送信され得る。
【０１３４】
[0145]  このようにして、方法１３００は、ワイヤレス通信を提供し得る。方法１３００が、１つの実施例にすぎず、方法１３００の工程を、他の実施例が可能であるように再配置され得、あるいは他の方法で変更され得ることに、注意すべきである。
【０１３５】
[0146]  図１４は、ワイヤレス通信のための方法１４００の例を説明するフロー図である。分かりやすくするため、方法１４００は、以下で、図１、２Ａ、２Ｂ、２Ｃ、３Ａ、３Ｂ、４Ａ、４Ｂ、５Ａ、５Ｂ、６、７、および／または８に示したＡＰ、局、およびデバイスのうちの１つを参照して説明される。一実施形態において、局のうちの１つが、後述される機能を実行すべく局の機能要素を制御するために１組以上のコードを実行し得る。
【０１３６】
[0147]  ブロック１４０５において、電力節約モードにあるときにバッファデータが存在する旨のインジケーションを受信され得、ここでインジケーション（例えば、ＴＩＭ）は、長距離用のリンク（例えば、通信リンク２２０）によってゲートウェイＡＰ（ゲートウェイＡＰ  １０５−ａ）から直接受信される。
【０１３７】
[0148]  ブロック１４１０において、インジケーションに応答して、電力節約モードから出る。
【０１３８】
[0149]  ブロック１４１５において、バッファデータが第１の種類のトラフィックとして特定される場合、バッファデータは、長距離用のリンクによってゲートウェイＡＰから直接受信され得る。
【０１３９】
[0150]  ブロック１４２０において、バッファデータが第２の種類のトラフィックとして特定される場合、バッファデータは、少なくとも１つのリレーＡＰ（例えば、リレーＡＰ  １０５−ｂ）を介して短距離用のリンクによってゲートウェイＡＰから受信され得る。
【０１４０】
[0151]  このようにして、方法１４００は、ワイヤレス通信を提供し得る。方法１４００が、１つの実施例にすぎず、方法１４００の工程を、他の実施例が可能であるように再配置され得、あるいは他の方法で変更され得ることに、注意すべきである。
【０１４１】
[0152]  添付の図面に関連して上述した詳細な説明は、典型的な実施形態を説明するものであり、実行され得る唯一の実施形態または特許請求の範囲の技術的範囲に包含される唯一の実施形態を表現するものではない。本明細書の各所において使用される用語「典型的な」は、「例、事例、または例示として役に立つ」ことを意味し、「好ましい」または「他の実施形態よりも好都合である」ことを意味しない。詳細な説明は、説明される技術の理解をもたらす目的のための具体的詳細を含んでいる。しかしながら、これらの技術は、これらの具体的詳細を備えなくても実施され得る。いくつかの事例において、周知の構造およびデバイスは、説明される実施形態の考え方を見えにくくしてしまわないように、ブロック図の形態で示されている。
【０１４２】
[0153]  情報および信号は、種々の異なる技術および技法のいずれかを使用して表され得る。例えば、以上の説明の各所において言及され得るデータ、インストラクション、コマンド、情報、信号、ビット、シンボル、およびチップは、電圧、電流、電磁波、磁界または磁性粒子、光場または光粒子、あるいはこれらの任意の組み合わせによって表され得る。
【０１４３】
[0154]  本明細書において本発明に関連して説明される種々の例示のブロックおよびモジュールは、本明細書に記載の機能を実行するように設計された汎用のプロセッサ、デジタル信号プロセッサ（ＤＳＰ）、ＡＳＩＣ、ＦＰＧＡまたは他のプログラマブル論理デバイス、ディスクリートなゲートまたはトランジスタ論理回路、ディスクリートなハードウェア部品、あるいはこれらの任意の組み合わせによって実施または実行され得る。汎用のプロセッサは、マイクロプロセッサであり得るが、代案においては、プロセッサは、任意の在来のプロセッサ、コントローラ、マイクロコントローラ、またはステートマシンであり得る。また、プロセッサは、例えばＤＳＰとマイクロプロセッサとの組み合わせ、マルチプルなマイクロプロセッサ、ＤＳＰコアと協力する１つまたは複数のマイクロプロセッサ、あるいは任意の他のそのような構成など、演算デバイスの組み合わせとしても実現され得る。
【０１４４】
[0155]  本明細書に記載の機能は、ハードウェア、プロセッサによって実行されるソフトウェア、ファームウェア、またはこれらの任意の組み合わせにおいて実現され得る。プロセッサによって実行されるソフトウェアにおいて実現される場合、機能は、コンピュータ可読媒体において、１つまたは複数のインストラクションまたはコードとして、格納または送信され得る。他の例および実施例が、開示および添付の特許請求の範囲の技術的範囲および技術的思想に包含される。例えば、ソフトウェアの性質ゆえに、上述の機能は、プロセッサ、ハードウェア、ファームウェア、配線、またはこれらの任意の組み合わせを使用して実現され得る。また、機能を実現する特徴は、機能の各部分が異なる物理的な場所において実現されるように分散させられるなど、物理的にさまざまな場所に位置し得る。また、特許請求の範囲を含む本明細書において使用されるとき、アイテムの列挙において「・・・のうちの少なくとも１つ（at least one of）」を伴って使用される「または（or）」は、選言的列挙（disjunctive list）を表し、したがって例えば「Ａ、Ｂ、またはＣのうちの少なくとも１つ」という列挙は、ＡまたはＢまたはＣまたはＡＢまたはＡＣまたはＢＣまたはＡＢＣ（すなわち、ＡおよびＢおよびＣ）を意味する。
【０１４５】
[0156]  コンピュータ可読媒体は、或る場所から別の場所へのコンピュータプログラムの転送を容易にする任意の媒体を含む、コンピュータストレージ媒体および通信媒体の両方を含む。ストレージ媒体は、汎用または専用のコンピュータによってアクセスすることができる任意の利用可能な媒体であり得る。例として、これらに限られるわけではないが、コンピュータ可読媒体は、ＲＡＭ、ＲＯＭ、ＥＥＰＲＯＭ（登録商標）、ＣＤ−ＲＯＭまたは他の光ディスク記憶デバイス、磁気ディスク記憶デバイスまたは他の磁気記憶デバイス、あるいは所望のプログラムコードをインストラクションまたはデータ構造の形態で保持または記憶するために使用することができ、汎用または専用のコンピュータ、あるいは汎用または専用のプロセッサによるアクセスが可能である任意の他の媒体を備えることができる。また、任意の接続も、コンピュータ可読媒体と呼ばれ得る。例えば、ソフトウェアがウェブサイト、サーバ、または他の遠方のソースから同軸ケーブル、光ファイバケーブル、対より線、デジタル加入者線（ＤＳＬ）、あるいは赤外線、無線、およびマイクロ波などのワイヤレス技術を使用して送信される場合、同軸ケーブル、光ファイバケーブル、対より線、ＤＳＬ、あるいは赤外線、無線、およびマイクロ波などのワイヤレス技術は、媒体の定義に含まれる。本明細書において使用されるとき、ディスク（ｄｉｓｋおよびｄｉｓｃ）は、コンパクトディスク（ＣＤ）、レーザーディスク（登録商標）、光ディスク、デジタル多用途ディスク（ＤＶＤ）、フロッピー（登録商標）ディスク、およびＢｌｕ−ｒａｙ（登録商標）ディスクを含み、ここでディスク（ｄｉｓｋ）が、通常はデータを磁気的に再生する一方で、ディスク（ｄｉｓｃ）は、データをレーザで光学的に再生する。上記の組み合わせも、コンピュータ可読媒体の範囲に含まれる。
【０１４６】
[0157]  本発明のこれまでの説明は、本発明の製作または使用を当業者にとって可能にするために提示されている。本開示に対する種々の変更が、当業者にとって容易に明らかであり、本明細書で定められる一般的な原理は、本発明の技術的思想または技術的範囲から離れることなく他の変形形態にも適用され得る。本明細書の全体をとおして、用語「例」または「例示的な」は、一例または一事例を示しており、言及される例についていかなる選好も意味せず、あるいは必要としない。したがって、本発明は、本明細書に記載の例および設計に限られるものではなく、本明細書に開示の原理および新規な特徴に矛盾しない最も広い範囲が与えられるべきである。
以下に本願の出願当初の特許請求の範囲に記載された発明を付記する。
[Ｃ１]  ワイヤレス通信のための方法であって、
第１の種類のトラフィックをゲートウェイアクセスポイントから局へと直接送信することと、ここで、前記局へと送信されるビーコン信号が前記第１の種類のトラフィックの一部として送信される、
第２の種類のトラフィックを前記ゲートウェイアクセスポイントから前記局へと少なくとも１つのリレーアクセスポイントを介して送信することと、
を備える方法。
[Ｃ２]  前記第１の種類のトラフィックを送信することは、低スループットトラフィックを送信することを備え、
前記第２の種類のトラフィックを送信することは、高スループットトラフィックを送信することを備える、Ｃ１に記載の方法。
[Ｃ３]  前記第１の種類のトラフィックを送信することは、長距離用の無線リンクを通じて前記第１の種類のトラフィックを送信することを備える、Ｃ１に記載の方法。
[Ｃ４]  前記長距離用の無線リンクは、２ＧＨｚ帯リンクまたはｓｕｂ−１ＧＨｚ帯リンクを備える、Ｃ３に記載の方法。
[Ｃ５]  前記第２の種類のトラフィックを送信することは、少なくとも１つの短距離用の無線リンクを通じて前記第２の種類のトラフィックを送信することを備える、Ｃ１に記載の方法。
[Ｃ６]  前記少なくとも１つの短距離用の無線リンクは、５ＧＨｚ帯リンクを備える、Ｃ５に記載の方法。
[Ｃ７]  前記第１の種類のトラフィックを送信することは、
低バーストのブロードキャストトラフィック、
低バーストのマルチキャストトラフィック、および
低バーストのユニキャストトラフィック
のうちの１つまたは複数を送信することを備える、Ｃ１に記載の方法。
[Ｃ８]  前記第２の種類のトラフィックを送信することは、
高バーストのユニキャストデータトラフィック、
高バーストのブロードキャストデータトラフィック、
低レイテンシのユニキャストトラフィック、および
低レイテンシのブロードキャストトラフィック
のうちの１つまたは複数を送信することを備える、Ｃ１に記載の方法。
[Ｃ９]  低スループットトラフィックを前記ゲートウェイアクセスポイントにおいて長距離用の無線リンクを通じて前記局から直接受信することと、
高スループットトラフィックを前記ゲートウェイアクセスポイントにおいて前記少なくとも１つのリレーアクセスポイントを介して少なくとも１つの短距離用の無線リンクを通じて前記局から受信することと、
をさらに備える、Ｃ１に記載の方法。
[Ｃ１０]  ワイヤレス通信のための方法であって、
第１の種類のトラフィックを局においてゲートウェイアクセスポイントから直接受信することと、ここで、前記局によって受信されるビーコン信号が前記第１の種類のトラフィックの一部として受信される、
第２の種類のトラフィックを前記局において前記ゲートウェイアクセスポイントから少なくとも１つのリレーアクセスポイントを介して受信することと、
を備える方法。
[Ｃ１１]  前記第１の種類のトラフィックを受信することは、低スループットトラフィックを受信することを備え、
前記第２の種類のトラフィックを受信することは、高スループットトラフィックを受信することを備える、Ｃ１０に記載の方法。
[Ｃ１２]  前記第１の種類のトラフィックを受信することは、長距離用の無線リンクを通じて第１の種類のトラフィックを受信することを備える、Ｃ１０に記載の方法。
[Ｃ１３]  前記長距離用の無線リンクは、２ＧＨｚ帯リンクまたはｓｕｂ−１ＧＨｚ帯リンクを備える、Ｃ１２に記載の方法。
[Ｃ１４]  前記第２の種類のトラフィックを受信することは、少なくとも１つの短距離用の無線リンクを通じて第２の種類のトラフィックを受信することを備える、Ｃ１０に記載の方法。
[Ｃ１５]  前記少なくとも１つの短距離用の無線リンクは、５ＧＨｚ帯リンクを備える、Ｃ１４に記載の方法。
[Ｃ１６]  前記第１の種類のトラフィックを受信することは、
低バーストのブロードキャストトラフィック、
低バーストのマルチキャストトラフィック、および
低バーストのユニキャストトラフィック
のうちの１つまたは複数を受信することを備える、Ｃ１０に記載の方法。
[Ｃ１７]  前記第２の種類のトラフィックを受信することは、
高バーストのユニキャストデータトラフィック、
高バーストのブロードキャストデータトラフィック、
低レイテンシのユニキャストトラフィック、および
低レイテンシのブロードキャストトラフィック
のうちの１つまたは複数を受信することを備える、Ｃ１０に記載の方法。
[Ｃ１８]  低スループットトラフィックを前記局から長距離用の無線リンクを通じて前記ゲートウェイアクセスポイントへと直接送信することと、
高スループットトラフィックを前記局から前記少なくとも１つのリレーアクセスポイントを介して少なくとも１つの短距離用の無線リンクを通じて前記ゲートウェイアクセスポイントへと送信することと、
をさらに備える、Ｃ１０に記載の方法。
[Ｃ１９]  ワイヤレス通信のためのデバイスであって、
第１の種類のトラフィックを局へと直接送信することと、ここで前記局へと送信されるビーコン信号は前記第１の種類のトラフィックの一部として送信される、
第２の種類のトラフィックを前記局へと少なくとも１つのリレーアクセスポイントを介して送信することと、
を行うように構成されたゲートウェイアクセスポイント
を備えるデバイス。
[Ｃ２０]  前記ゲートウェイアクセスポイントは、前記第１の種類のトラフィックを２ＧＨｚ帯リンクまたはｓｕｂ−１ＧＨｚ帯リンクを通じて前記局へと直接送信するように構成されている、Ｃ１９に記載のデバイス。
[Ｃ２１]  前記ゲートウェイアクセスポイントは、前記第２の種類のトラフィックを少なくとも１つの５ＧＨｚ帯リンクを通じて前記少なくとも１つのリレーアクセスポイントへと送信するように構成されている、Ｃ１９に記載のデバイス。
[Ｃ２２]  前記第１の種類のトラフィックは、
低バーストのブロードキャストトラフィック、
低バーストのマルチキャストトラフィック、および
低バーストのユニキャストトラフィック
のうちの１つまたは複数を備え、
前記第２の種類のトラフィックは、
高バーストのユニキャストデータトラフィック、
高バーストのブロードキャストデータトラフィック、
低レイテンシのユニキャストトラフィック、および
低レイテンシのブロードキャストトラフィック
のうちの１つまたは複数を備える、Ｃ１９に記載のデバイス。
[Ｃ２３]  局を備えるワイヤレス通信のためのデバイスであって、前記局が、
第１の種類のトラフィックをゲートウェイアクセスポイントから直接受信することと、ここで、前記局によって受信されるビーコン信号は前記第１の種類のトラフィックの一部として受信される、
第２の種類のトラフィックを前記ゲートウェイアクセスポイントから少なくとも１つのリレーアクセスポイントを介して受信することと、
を行うように構成された、デバイス。
[Ｃ２４]  前記局は、前記第１の種類のトラフィックを２ＧＨｚ帯リンクまたはｓｕｂ−１ＧＨｚ帯リンクを通じて前記ゲートウェイアクセスポイントから直接受信するように構成されている、Ｃ２３に記載のデバイス。
[Ｃ２５]  前記局は、前記第２の種類のトラフィックを前記少なくとも１つのリレーアクセスポイントを介して少なくとも１つの５ＧＨｚ帯リンクを通じて前記ゲートウェイアクセスポイントから受信するように構成されている、Ｃ２３に記載のデバイス。
[Ｃ２６]  前記第１の種類のトラフィックは、
低バーストのブロードキャストトラフィック、
低バーストのマルチキャストトラフィック、および
低バーストのユニキャストトラフィック
のうちの１つまたは複数を備え、
前記第２の種類のトラフィックは、
高バーストのユニキャストデータトラフィック、
高バーストのブロードキャストデータトラフィック、
低レイテンシのユニキャストトラフィック、および
低レイテンシのブロードキャストトラフィック
のうちの１つまたは複数を備える、Ｃ２３に記載のデバイス。
[Ｃ２７]  ワイヤレス通信のためのシステムであって、
局と、
前記局に通信可能に結合されたゲートウェイアクセスポイントと、ここで、前記ゲートウェイアクセスポイントは、第１の種類のトラフィックを長距離用の無線リンクを通じて前記局へと直接送信するように構成され、前記局へと送信されるビーコン信号が、前記第１の種類のトラフィックの一部として送信される、
前記ゲートウェイアクセスポイントおよび前記局に通信可能に結合された少なくとも１つのリレーアクセスポイントと、ここで、前記ゲートウェイアクセスポイントは、第２の種類のトラフィックを前記少なくとも１つのリレーアクセスポイントを介して少なくとも１つの短距離用の無線リンクを通じて前記局へと送信するように構成されている、
を備える、システム。
[Ｃ２８]  ワイヤレス通信のための装置であって、
第１の種類のトラフィックをゲートウェイアクセスポイントから局へと直接送信するための手段と、ここで、前記局へと送信されるビーコン信号が前記第１の種類のトラフィックの一部として送信される、
第２の種類のトラフィックを前記ゲートウェイアクセスポイントから前記局へと少なくとも１つのリレーアクセスポイントを介して送信するための手段と、
を備える装置。
[Ｃ２９]  前記第１の種類のトラフィックを送信するための手段は、低スループットトラフィックを送信するための手段を備え、
前記第２の種類のトラフィックを送信するための手段は、高スループットトラフィックを送信するための手段を備える、Ｃ２８に記載の装置。
[Ｃ３０]  前記第１の種類のトラフィックを送信するための手段は、第１の種類のトラフィックを２ＧＨｚ帯リンクまたはｓｕｂ−１ＧＨｚ帯リンクを通じて送信するための手段を備える、Ｃ２８に記載の装置。
[Ｃ３１]  前記第２の種類のトラフィックを送信するための手段は、第２の種類を少なくとも１つの５ＧＨｚ帯リンクを通じて送信するための手段を備える、Ｃ２８に記載の装置。
[Ｃ３２]  前記第１の種類のトラフィックを送信するための手段は、
低バーストのブロードキャストトラフィック、
低バーストのマルチキャストトラフィック、および
低バーストのユニキャストトラフィック
のうちの１つまたは複数を送信するための手段を備え、
前記第２の種類のトラフィックを送信するための手段は、
高バーストのユニキャストデータトラフィック、
高バーストのブロードキャストデータトラフィック、
低レイテンシのユニキャストトラフィック、および
低レイテンシのブロードキャストトラフィック
のうちの１つまたは複数を送信するための手段を備える、Ｃ２８に記載の装置。
[Ｃ３３]  ワイヤレス通信のための装置であって、
第１の種類のトラフィックを局においてゲートウェイアクセスポイントから直接受信するための手段と、ここで、前記局によって受信されるビーコン信号は前記第１の種類のトラフィックの一部として受信される、
第２の種類のトラフィックを前記局において前記ゲートウェイアクセスポイントから少なくとも１つのリレーアクセスポイントを介して受信するための手段と、
を備える装置。
[Ｃ３４]  前記第１の種類のトラフィックを受信するための手段は、低スループットトラフィックを受信するための手段を備え、
前記第２の種類のトラフィックを受信するための手段は、高スループットトラフィックを受信するための手段を備える、Ｃ３３に記載の装置。
[Ｃ３５]  前記第１の種類のトラフィックを受信するための手段は、第１の種類のトラフィックを２ＧＨｚ帯リンクまたはｓｕｂ−１ＧＨｚ帯リンクを通じて受信するための手段を備える、Ｃ３３に記載の装置。
[Ｃ３６]  前記第２の種類のトラフィックを受信するための手段は、第２の種類を少なくとも１つの５ＧＨｚ帯リンクを通じて受信するための手段を備える、Ｃ３３に記載の装置。
[Ｃ３７]  前記第１の種類のトラフィックを受信するための手段は、
低バーストのブロードキャストトラフィック、
低バーストのマルチキャストトラフィック、および
低バーストのユニキャストトラフィック
のうちの１つまたは複数を受信するための手段を備え、
前記第２の種類のトラフィックを受信するための手段は、
高バーストのユニキャストデータトラフィック、
高バーストのブロードキャストデータトラフィック、
低レイテンシのユニキャストトラフィック、および
低レイテンシのブロードキャストトラフィック
のうちの１つまたは複数を受信するための手段を備える、Ｃ３３に記載の装置。
[Ｃ３８]  コンピュータプログラム製品であって、
少なくとも１つのコンピュータに、ゲートウェイアクセスポイントから局へ第１の種類のトラフィックを送信することを実行させるコードと、ここで、前記局へと送信されるビーコン信号が前記第１の種類のトラフィックの一部として送信される、
前記少なくとも１つのコンピュータに、少なくとも１つのリレーアクセスポイントを介して前記ゲートウェイアクセスポイントから前記局へ第２の種類のトラフィックを送信することを実行させるコードと、
を備える非一時的なコンピュータ可読媒体を備える、コンピュータプログラム製品。
[Ｃ３９]  コンピュータプログラム製品であって、
少なくとも１つのコンピュータに、局においてゲートウェイアクセスポイントから第１の種類のトラフィックを直接受信することを実行させるコードと、ここで、前記局によって受信されるビーコン信号が前記第１の種類のトラフィックの一部として受信される、
前記少なくとも１つのコンピュータに、前記局において少なくとも１つのリレーアクセスポイントを介して前記ゲートウェイアクセスポイントから第２の種類のトラフィックを受信することを実行させるコードと、
を備える非一時的なコンピュータ可読媒体を備える、コンピュータプログラム製品。
【図１】
0006396456.tif 000002
【図２Ａ】
0006396456.tif 000003
【図２Ｂ】
0006396456.tif 000004
【図２Ｃ】
0006396456.tif 000005
【図３Ａ】
0006396456.tif 000006
【図３Ｂ】
0006396456.tif 000007
【図４Ａ】
0006396456.tif 000008
【図４Ｂ】
0006396456.tif 000009
【図５Ａ】
0006396456.tif 000010
【図５Ｂ】
0006396456.tif 000011
【図６】
0006396456.tif 000012
【図７】
0006396456.tif 000013
【図８】
0006396456.tif 000014
【図９】
0006396456.tif 000015
【図１０】
0006396456.tif 000016
【図１１】
0006396456.tif 000017
【図１２】
0006396456.tif 000018
【図１３】
0006396456.tif 000019
【図１４】
0006396456.tif 000020